(57)【要約】【課題】画像検索履歴が蓄積されない場合であっても、次以降の画像を正しく先読みする。【解決手段】画像閲覧装置は、第１の記録媒体１１４に記録されている複数の画像を所定の基準軸に沿って順番に並べるソート手段１１０と、複数の画像の中から画像を指定する指定手段１０６、１０７、１２２と、指定された画像を表示する表示手段１０３，１０４と、次画像として指定手段に指定される可能性の高い画像を選択し、第１の記録媒体１１４よりも読み出し速度の速い第２の記録媒体１１１に記録する選択記録手段１１０と、指定手段が複数の画像に対して指定した指定順序が、基準軸における第１の向きと、第１の向きとは逆向きの第２の向きとのいずれの向きの順序で指定されたかを判定する方向判定手段１１０と、方向判定手段の判定に基づいて、選択記録手段が実行する選択処理の規則を決定する選択規則決定手段１１０とを備える。【選択図】図２
2008092321.tif 000002
【特許請求の範囲】
【請求項１】
第１の記録媒体に記録されている複数の画像を所定の基準軸に沿って順番に並べるソート手段と、
前記複数の画像の中から画像を指定する指定手段と、
前記指定された画像を表示する表示手段と、
次画像として前記指定手段に指定される可能性の高い画像を選択する選択処理を実行し、前記第１の記録媒体よりも読み出し速度の速い第２の記録媒体に記録する選択記録手段と、
前記指定手段が前記複数の画像に対して指定した指定順序が、前記基準軸における第１の向きと、前記第１の向きとは逆向きの第２の向きとのいずれの向きの指定順序であるかを判定する方向判定手段と、
前記方向判定手段の判定に基づいて、前記選択記録手段が実行する選択処理の規則を決定する選択規則決定手段とを備えることを特徴とする画像閲覧装置。
【請求項２】
請求項１に記載の画像閲覧装置において、
前記方向判定手段は、前記指定画像が前記複数の画像に対して指定した指定順序が、前記第１の向きと前記第２の向きとのいずれにも当てはまらない場合に、向きが不特定であると判定し、
前記選択規則決定手段は、
前記方向判定手段による不特定判定に応じて、前記選択処理の規則を、画像を特徴付ける特徴データに基づいて決定する第１決定規則とし、
前記方向判定手段による前記第１の向きの判定または前記第２の向きの判定に応じて、前記選択処理の規則を、前記特徴データと前記方向判定手段により判定された向きとに基づいて決定する第２決定規則とすることを特徴とする画像閲覧装置。
【請求項３】
請求項２に記載の画像閲覧装置において、
前記第２決定規則は、前記表示手段に表示されている画像の前記基準軸上の位置から、前記方向判定手段により判定された向きに存在する画像に対して前記特徴データに基づいて画像を選択し、その後、前記表示手段に表示されている画像の前記基準軸上の位置から、前記方向判定手段により判定された向きと逆向きに存在する画像に対して前記特徴データに基づいて画像を選択する規則であることを特徴とする画像閲覧装置。
【請求項４】
請求項２または３に記載の画像閲覧装置において、
前記選択規則決定手段は、基準となる画像に関する前記特徴データと、前記複数の画像の特徴データとの間の相関性の高さを判定する相関性判定手段を含み、
前記第１決定規則は、前記相関性判定手段により相関性が低いと判定された画像に比べて相関性が高いと判定された画像を先に選択する規則であることを特徴とする画像閲覧装置。
【請求項５】
請求項２または３に記載の画像閲覧装置において、
前記特徴データは、前記画像を表示する優先順位を表す優先度指定データであることを特徴とする画像閲覧装置。
【請求項６】
請求項１に記載の画像閲覧装置において、
前記方向判定手段は、前記指定手段が複数の画像に対して同一向きに行った指定が所定回数以上であったことに基づいて、前記第１の向きまたは第２の向きを判定し、
前記指定手段が前記複数の画像に対して同一向きに行った指定が所定回数未満であったことに基づいて、向きが不特定であると判定し、
前記選択規則決定手段は、
前記方向判定手段による前記第１の向きまたは第２の向きの判定に応じて、前記選択処理の規則を、前記方向判定手段の判定結果を加味した第３決定規則とし、
前記方向判定手段による前記不特定判定に応じて、前記選択処理の規則を、前記方向判定手段の判定結果を加味しない第４決定規則とすることを特徴とする画像閲覧装置。
【請求項７】
請求項１に記載の画像閲覧装置において、
前記指定手段は、前記表示手段に表示される画像を前記基準軸の前記第１の向きに順送りまたは前記基準軸の前記第２の向きに逆送りして前記次画像を指定する操作部材を含み、
前記選択規則決定手段は、前記操作部材が操作された場合は、前記操作部材の操作方向に基づいて前記選択処理の規則を決定することを特徴とする画像閲覧装置。
【発明の詳細な説明】
【技術分野】
【０００１】
本発明は、画像データの先読み検索ができる画像閲覧装置に関する。
【背景技術】
【０００２】
検索が指示された画像と、その画像に関連が深い画像とを表示メモリに転送して、次以降の検索指示では、検索指示された関連が深い画像を表示メモリから読み出して表示する画像検索装置が知られている（たとえば、特許文献１）。
【特許文献１】特開平６−３５０９４８号公報
【発明の開示】
【発明が解決しようとする課題】
【０００３】
しかしながら、過去の画像検索履歴に基づいて画像を選択して表示しているので、画像検索履歴が蓄積されない場合は次以降の画像が正しく選択されないという問題がある。
【課題を解決するための手段】
【０００４】
（１）請求項１の発明による画像閲覧装置は、第１の記録媒体に記録されている複数の画像を所定の基準軸に沿って順番に並べるソート手段と、複数の画像の中から画像を指定する指定手段と、指定された画像を表示する表示手段と、次画像として指定手段に指定される可能性の高い画像を選択する選択処理を実行し、第１の記録媒体よりも読み出し速度の速い第２の記録媒体に記録する選択記録手段と、指定手段が複数の画像に対して指定した指定順序が、基準軸における第１の向きと、第１の向きとは逆向きの第２の向きとのいずれの向きの指定順序であるかを判定する方向判定手段と、方向判定手段の判定に基づいて、選択記録手段が実行する選択処理の規則を決定する選択規則決定手段とを備えることを特徴とする。
（２）請求項２の発明は、請求項１に記載の画像閲覧装置において、方向判定手段は、指定画像が複数の画像に対して指定した指定順序が、第１の向きと第２の向きとのいずれにも当てはまらない場合に、向きが不特定であると判定し、選択規則決定手段は、方向判定手段による不特定判定に応じて、選択処理の規則を、画像を特徴付ける特徴データに基づいて決定する第１決定規則とし、方向判定手段による第１の向きの判定または第２の向きの判定に応じて、選択処理の規則を、特徴データと方向判定手段により判定された向きとに基づいて決定する第２決定規則とすることを特徴とする。
（３）請求項３の発明は、請求項２に記載の画像閲覧装置において、第２決定規則は、表示手段に表示されている画像の基準軸上の位置から、方向判定手段により判定された向きに存在する画像に対して特徴データに基づいて画像を選択し、その後、表示手段に表示されている画像の基準軸上の位置から、方向判定手段により判定された向きと逆向きに存在する画像に対して特徴データに基づいて画像を選択する規則であることを特徴とする。
（４）請求項４の発明は、請求項２または３に記載の画像閲覧装置において、選択規則決定手段は、基準となる画像に関する特徴データと、複数の画像の特徴データとの間の相関性の高さを判定する相関性判定手段を含み、第１決定規則は、相関性判定手段により相関性が低いと判定された画像に比べて相関性が高いと判定された画像を先に選択する規則であることを特徴とする。
（５）請求項５の発明は、請求項２または３に記載の画像閲覧装置において、特徴データは、画像を表示する優先順位を表す優先度指定データであることを特徴とする。
（６）請求項６の発明は、請求項１に記載の画像閲覧装置において、方向判定手段は、指定手段が複数の画像に対して同一向きに行った指定が所定回数以上であったことに基づいて、第１の向きまたは第２の向きを判定し、指定手段が複数の画像に対して同一向きに行った指定が所定回数未満であったことに基づいて、向きが不特定であると判定し、選択規則決定手段は、方向判定手段による第１の向きまたは第２の向きの判定に応じて、選択処理の規則を、方向判定手段の判定結果を加味した第３決定規則とし、方向判定手段による不特定判定に応じて、選択処理の規則を、方向判定手段の判定結果を加味しない第４決定規則とすることを特徴とする。
（７）請求項７の発明は、請求項１に記載の画像閲覧装置において、指定手段は、表示手段に表示される画像を基準軸の第１の向きに順送りまたは基準軸の第２の向きに逆送りして次画像を指定する操作部材を含み、選択規則決定手段は、操作部材が操作された場合は、操作部材の操作方向に基づいて選択処理の規則を決定することを特徴とする。
【発明の効果】
【０００５】
本発明によれば、複数の画像に対して表示を指定した順序に基づいて決定した選択処理の規則に基づいて、次画像として指定される可能性の高い画像を、高速読み出し可能な記録媒体に記録するようにした。したがって、検索履歴が蓄積されない場合であっても、次画像を適切に決定することができる。
【発明を実施するための最良の形態】
【０００６】
図面を参照して、本発明による画像閲覧装置の一実施の形態としてビューアを説明する。図１はビューア１００の外観図、図２はビューア１００の制御ブロック図である。この実施の形態のビューア１００の特徴について概略説明する。
【０００７】
（画像サイズ）
ビューア１００は、外部機器からたとえば７００万画素の本画像を取り込む。ビューア１００は、取り込んだ本画像をたとえば２００万画素の画像サイズにリサイズし、第１縮小画像としてＨＤＤ等の大容量記録媒体１１４に記録する。本画像にはサムネイル画像（たとえば１２０画素×１６０画素）が添付されており、ビューア１００は、サムネイル画像を第１ＬＣＤ１０３に一覧表示する。一覧表示されたサムネイル画像の中から少なくとも１枚の画像をユーザが選択すると、ビューア１００は、２００万画素にリサイズされた第１縮小画像をたとえばＶＧＡサイズ（６４０画素×４８０画素）にリサイズし、第２縮小画像として、大容量記録媒体１１４よりも高速読み出しが可能なＳＤＲＡＭのような記録媒体１１１（以下、ＳＤＲＡＭ１１１として説明する）に記録するとともに第１ＬＣＤ１０３や第２ＬＣＤ１０４に表示する。
【０００８】
（画像先読み）
この実施の形態のビューア１００は、後で詳細に説明する画像データの先読みを行い、画像表示の高速化を図っている。後述するとおり、先読み処理とは、ユーザが次に閲覧指示を行う可能性の高い複数の画像をＲＩＳＣ１１０が事前に予測し、ＲＩＳＣ１１０が、複数の予測画像をＶＧＡ画像ファイルのデータとしてＳＤＲＡＭ１１１に書き込む処理である。先読みを行うため、ＨＤＤ１１４に記録されている２００万画素の第１縮小画像のそれぞれには、画像を特徴づけるデータが添付されている。たとえば、ユーザにより１枚のサムネイル画像が選択されると、ＲＩＳＣ１１０は、特徴データに基づいて、閲覧指示される可能性の高い第１画像を複数枚選択し、ＨＤＤ１１４より高速にデータ読み出しが可能なＳＤＲＡＭ１１１に第２縮小画像としてＶＧＡ画像を記録する。このとき、ＲＩＳＣ１１０は作成されたＶＧＡ画像をＨＤＤ１１４にも記録する。
【０００９】
（画像切換）
ビューア１００は、ヒンジ１０１により開閉される両開き形式の液晶表示装置を備えている。すなわち、ビューア１００は、複数両開き式の一対の第１ＬＣＤ１０３および第２ＬＣＤ１０４を備え、第２ＬＣＤ１０４はタッチパネル付きである。第１ＬＣＤ１０３および第２ＬＣＤ１０４には、ＶＧＡサイズの第２縮小画像を表示することができる。また、ビューア１００は、第１ＬＣＤ１０３または第２ＬＣＤ１０４の一画面を２つの領域に分割し、各領域にそれぞれ一枚の画像を一括表示することができる。この場合の表示用画像は、ＶＧＡサイズの第２縮小画像をさらにリサイズして作成される。さらに、第１ＬＣＤ１０３と第２ＬＣＤ０４との両方の画面を用いてＶＧＡサイズを面積で２倍に拡大した画像を表示することができる。この場合の表示用画像は、まず、ＶＧＡサイズを補間して粗い拡大画像を作成して表示する。その間に第１縮小画像を縮小して精細な拡大画像の作成処理も行い、精細拡大画像の作成処理が終了すると、粗い拡大画像の表示に代えて精細拡大画像を第１ＬＣＤ１０３および第２ＬＣＤ１０４に表示する。
【００１０】
ユーザは、タッチパネル１２２を用いて画面を指などでタッチして各種の操作を指令することができる。たとえばビューア１００は、表示画面の指こすり操作を検出して、画像切換、すなわち、画像スクロールを行うことができる。たとえば、画面上で水平方向に指こすりを行うとコマ送りもしくはコマ戻しによる表示切替が行われる。また、画面を対角線上に沿って指こすりする場合には、１画面内の表示枚数の切り替えが行われる。
【００１１】
（姿勢優先モードとサイズ優先モード）
ビューア１００は、姿勢優先モードとサイズ優先モードのいずれかを選択できる。姿勢優先モードでは、ビューア１００は、複数枚の画像の天地を第１ＬＣＤ１０３および第２ＬＣＤ１０４の上下方向に一致させて表示する。たとえばビューア１００は、横位置撮影で得られた画像と縦位置撮影で得られた画像の２画面を表示する際、いずれの画像の天地も画面の上下方向に一致するように表示する。したがって、一方の画像は余白と共に表示される。サイズ優先モードでは、ビューア１００は、横位置撮影で得られた画像と縦位置撮影で得られた画像の２画面を表示する際、横位置撮影および縦位置撮影の画像の長手方向のそれぞれが第１ＬＣＤ１０３あるいは第２ＬＣＤ１０４の長手方向に一致するように表示する。
【００１２】
以下、図面にしたがって本実施の形態によるビューア１００を詳細に説明する。
ビューア１００は、図１に示すように、ヒンジ部１０１、開閉検出スイッチ１０２、第１ＬＣＤ１０３、第２ＬＣＤ１０４、バッテリ１０５、操作ボタン１０６およびジョイスティック１０７を備える。なお、ビューア１００はヒンジ部１０１で開閉可能に構成されている。図１（ａ）は、ビューア１００が開かれた状態を示す。
【００１３】
図２はビューア１００の制御ブロック図である。ビューア１００は、ＲＩＳＣ１１０、ＳＤＲＡＭ１１１、ＳＤＲＡＭ制御部１１２、画像処理回路１１３、ＨＤＤ（ハードディスクドライブ）１１４、ＨＤＤ駆動回路１１５、姿勢センサ１１６、タッチパネル１２２およびメモリカードスロット３０１Ｓを備えている。またビューア１００は、姿勢センサインタフェース１１７、第１ＬＣＤインタフェース１１８、第２ＬＣＤインタフェース１１９、メモリカードインタフェース１２０、操作系インタフェース１２３、ＨＤＭＩインタフェース１２４、ＵＳＢインタフェース１２５およびクレードルインタフェース１２６を備えている。ＨＤＭＩインタフェース１２４にはＨＤＭＩ対応モニタ５０１が、ＵＳＢインタフェース１２５にはパソコン５０２が、クレードルインタフェース１２６にはクレードル５０３がそれぞれ着脱可能に接続される。
【００１４】
開閉検出スイッチ１０２は、ビューア１００の開閉を検出する。ユーザによりビューア１００が開かれると、開閉検出スイッチ１０２はオン信号をＲＩＳＣ１１０に出力する。開閉検出スイッチ１０２からオン信号が出力されると、ＲＩＳＣ１１０は、バッテリ１０５と接続される図示しない電源回路に電力供給指示信号を出力する。電力供給指示信号を受信した電源回路はビューア１００の各要素機器に電力を供給する。操作ボタン１０６およびジョイスティック１０７は、ユーザがビューア１００における各種の設定を行なうための操作スイッチである。たとえば、操作ボタン１０６あるいはジョイスティック１０７の操作により、後述する先読みモードを選択したり、先読みモードにおけるメタデータ一致優先モードおよびお気に入り画像優先モードのいずれかを選択することができる。ジョイスティック１０７は十字キースイッチである。ジョイスティック１０７の十字キー操作によって、第１ＬＣＤ１０３または第２ＬＣＤ１０４に表示された画像を切替え表示することができる。
【００１５】
ＲＩＳＣ１１０はビューア１００の各要素機器を制御する演算処理回路である。ＳＤＲＡＭ１１１はＲＩＳＣ１１０の作業領域メモリとして、一時的に各種のデータを格納する。また、ＳＤＲＡＭ１１１は、後述する先読み用画像としてＶＧＡ画像データを記録する。さらに、ＳＤＲＡＭ１１１は、第１ＬＣＤ１０３と第２ＬＣＤ１０４とに画像を表示するためのフレームメモリとしての機能をも有する。ＳＤＲＡＭ制御部１１２は、ＲＩＳＣ１１０からの指示信号に基づいて、ＳＤＲＡＭ１１１を制御する。ＳＤＲＡＭ１１１は揮発性の半導体メモリであり、ＨＤＤ１１４よりも高速にデータの読み書きが可能である。
【００１６】
ＨＤＤ１１４は不揮発性の記憶を行なうことができるハードディスクドライブである。ＨＤＤ１１４には画像データや各種データが記録されている。ＨＤＤ１１４は、ＲＩＳＣ１１０の指示に基づきＨＤＤ駆動回路１１５を介して駆動され、データ書込み、データ読み出しが制御される。ＨＤＤ１１４の記録データについては後で詳述する。画像処理回路１１３は、ＲＩＳＣ１１０の指示に基づいて、ＨＤＤ１１４やＳＤＲＡＭ１１１に記憶されている画像データに対して各種の画像処理を実行する。
【００１７】
姿勢センサ１１６はビューア１００の３種類の姿勢、すなわち図１（ａ）に示す矢印ＡＲ方向を画面の天地とした横位置姿勢、横位置姿勢から矢印ＣＷで示す時計回転回りにビューア１００を９０度回転した＋９０度縦位置姿勢および横位置姿勢から矢印ＣＣＷで示す反時計回転回りにビューア１００を９０度回転した−９０度縦位置姿勢を検出する。横位置とは、第１および第２ＬＣＤ１０３および１０４を左右に並べたビューア１００の姿勢である。検出した姿勢情報は、姿勢センサインタフェース１１７へ出力される。姿勢センサインタフェース１１７は、ＲＩＳＣ１１０からの指示に基づいて、姿勢センサ１１６を駆動し、姿勢センサ１１６から入力した姿勢情報をデータバス経由でＲＩＳＣ１１０へ出力する。
【００１８】
第１ＬＣＤ１０３は画像を表示するための表示器である。ユーザにより画像指定操作が行われると、第１ＬＣＤ１０３は、たとえばＶＧＡサイズ（６４０画素×４８０画素）の画像を表示することができる。すなわち、第１ＬＣＤインタフェース１１８は、ＲＩＳＣ１１０の制御の下、ＳＤＲＡＭ１１１に書き込まれた表示用画像データ（以下、単にＶＧＡ画像データとも呼ぶ）に基づいて第１ＬＣＤ１０３にＶＧＡサイズの画像を表示する。第２ＬＣＤ１０４は、第１ＬＣＤ１０３と同様に画像を表示するための表示器である。第２ＬＣＤ１０４は、第１ＬＣＤ１０３と同様に、ユーザにより画像指定操作が行われると、たとえばＶＧＡサイズ（６４０画素×４８０画素）の画像を表示することができる。すなわち、第２ＬＣＤインタフェース１１９は、ＲＩＳＣ１１０の制御の下、ＳＤＲＡＭ１１１に書き込まれたＶＧＡ画像データに基づいて第２ＬＣＤ１０４にＶＧＡサイズの画像を表示する。さらに、第２ＬＣＤ１０４には、ビューア１００における各種の設定を行なうためのメニュー画面が表示される。
【００１９】
第２ＬＣＤ１０４の表面にはタッチパネル１２２が配置される。タッチパネル１２２は、操作ボタン１０６やジョイスティック１０７と同様に、ユーザがビューア１００における各種の設定を行なうための操作スイッチである。また、タッチパネル１２２上の水平方向の指こすり操作により、ジョイスティック１０７と同様に、第１ＬＣＤ１０３または第２ＬＣＤ１０４に表示された画像を切替え表示させることができる。切替え表示とは、表示中のコマ画像から順送りもしくは逆送りにより別の画像に切替えて表示することである。また、タッチパネル１２２上の斜め方向（対角線方向）の指こすり操作により、表示枚数を切換えることができる。操作系インタフェース１２３は、操作ボタン１０６、ジョイスティック１０７およびタッチパネル１２２からの操作信号を受け付けて、ＲＩＳＣ１１０へ出力する。
【００２０】
メモリカード用インタフェース１２０は、メモリカード３０１とデータ通信を行なうためのインタフェースである。ＨＤＭＩインタフェース１２４は、外部のハイビジョン対応モニタ５０１に画像データを出力するためのインタフェースである。ＵＳＢインタフェース１２５は、所定のケーブルや無線伝送路を介してＰＣ等の外部装置５０２とデータ通信を行なうためのインタフェースである。クレードルインタフェース１２６は、ビューア１００と接続された外部のクレードル５０３との間でデータ通信を行なうためのインタフェースである。
【００２１】
メモリカード３０１は、コンパクトフラッシュ(登録商標）やＳＤカードなどの半導体メモリカードであり、ビューア１００のメモリカードスロット３０１Ｓに着脱可能である。メモリカード３０１は、メモリカードスロット３０１Ｓに装着されると、上述のようにビューア１００のメモリカード用インタフェース１２０を介して、ビューア１００との間で画像データを送受信できる。すなわち、メモリカード３０１はビューア１００の記憶媒体として機能する。
【００２２】
第２ＬＣＤ１０４に表示されるメニュー画面について図１９を用いて説明する。図１９はメニューの構成を示す。ユーザにより操作ボタン１０６が操作されると、ＲＩＳＣ１１０は第２ＬＣＤ１０４にメニュー画面を表示する。メニュー画面のトップメニューとして「画像表示」、「画像入力」、「スライドショー」および「設定」の項目が、ＲＩＳＣ１１０により表示される。「画像表示」は、第１ＬＣＤ１０３および第２ＬＣＤ１０４に画像を表示する項目である。「画像入力」は、ビューア１００に外部機器から画像を取り込む指示を行う項目である。「スライドショー」は、スライドショーの表示もしくは作成の指示を行う項目である。「設定」は、画像の表示枚数や表示形態、ソート順序などの設定を行なう項目である。なお、ユーザは、操作ボタン１０６、ジョイスティック１０７およびタッチパネル１２２のいずれかを用いて、メニュー画面の項目中からいずれかを選択する。
【００２３】
トップメニューの「画像表示」が選択されると、ＲＩＳＣ１１０は、図１９の第１階層に示すとおり、第１ＬＣＤ１０３および第２ＬＣＤ１０４に、図１０に示すようにサムネイル画像表示を行なう。サムネイル表示された画像の中から、ジョイスティック１０７またはタッチパネル１２２により選択された画像が、ＲＩＳＣ１１０により拡大表示される。表示される枚数は、後述する「同時表示枚数」のメニューから設定する。
【００２４】
サムネイル画像等の画像表示中に、ユーザは操作ボタン１０６、ジョイスティック１０７およびタッチパネル１２２のいずれかを操作することにより、サブメニューを呼び出すことができる。ＲＩＳＣ１１０は、ユーザによりサブメニュー呼び出し指示が行われると、第２ＬＣＤ１０４上の画像に重畳してサブメニューを表示する。サブメニューには、「同時表示枚数」、「拡大」、「表示優先度」、「画像編集」の４つの項目がある。
【００２５】
まずサブメニューの「同時表示枚数」について説明する。１枚同時表示に設定されている場合、ＲＩＳＣ１１０は、サムネイル画像から選択された画像を、第１ＬＣＤ１０３および第２ＬＣＤ１０４に表示する。２枚同時表示に設定されている場合、ＲＩＳＣ１１０はサムネイル画像から選択された画像から、ソート順序が２番目までの画像を第１ＬＣＤ１０３および第２ＬＣＤ１０４に表示する。４枚同時表示に設定されている場合、ＲＩＳＣ１１０は、サムネイル画像から選択された画像からソート順序の４番目の画像を第１ＬＣＤ１０３および第２ＬＣＤ１０４に表示する。なお、表示枚数を１枚とする設定は、ビューア１００が完全に開かれている場合のみ可能である。
【００２６】
「拡大」は、第１ＬＣＤ１０３および第２ＬＣＤ１０４に表示する画像のサイズが大きくなるように設定する項目である。設定可能な画像サイズは、１００％（６４０画素×４８０画素）、１５０％（９６０画素×７２０画素）、２００％（１２８０画素×９６０画素）および２５０％（１６００画素×１２００画素）のいずれかである。「表示優先度」においては、「優先度高」もしくは「優先度低」の指定を行なうことができる。たとえば、ユーザはお気に入りの画像に対して優先度高の指定をする。
【００２７】
「画像編集」は、表示される画像をユーザの好みに合わせた絵柄になるように設定する項目である。「画像編集」は、さらに「明るさ」、「色合い」、「階調補正」、「シャープネス」、「モノクロ」および「セピア」のメニューを有する。「明るさ」が選択されると、ユーザは画像の明るさの度合いを設定できる。ユーザは、ＲＩＳＣ１１０により第２ＬＣＤ１０４に表示された「明るさのバー表示」を参照しながら明るさの度合いを設定する。「色合い」が選択されると、ユーザは画面の色合いを設定できる。ユーザは、ＲＩＳＣ１１０により第２ＬＣＤ１０４に表示された「赤の強弱のバー表示」、「青の強弱のバー表示」および「緑の強弱のバー表示」を参照しながら色合いを設定する。「階調補正」が選択されると、「硬調」、「標準」および「軟調」のいずれかを設定することができる。「シャープネス」が選択されると、ユーザは、画像の輪郭強調の度合いを設定できる。ユーザは、ＲＩＳＣ１１０により第２ＬＣＤ１０４に表示される「強弱のバー表示」を参照しながら輪郭強調の度合いを設定する。
【００２８】
トップメニューの「画像入力」が選択されると、ＲＩＳＣ１１０は、第２ＬＣＤ１０４に「画像取り込み」および「画像取り込みキャンセル」を表示する。ユーザにより「画像取り込み」が選択されると、ＲＩＳＣ１１０は外部機器に記録された画像の取り込み処理を開始する。「画像取り込みキャンセル」が選択されると、ＲＩＳＣ１１０は外部機器からの画像取り込み処理を終了する。
【００２９】
トップメニューの「スライドショー」が選択されると、ＲＩＳＣ１１０は第２ＬＣＤ１０４に「スライドショー表示」および「スライドショー作成」を表示する。「スライドショー表示」においては、ユーザはスライドショーで使用する画像を選択する。ユーザは、スライドショーで使用する画像を「スライドショーデータ選択」もしくは「全画像選択」の項目から指定する。「スライドショーデータ選択」においては、ユーザは、ＲＩＳＣ１１０によりサムネイル表示された画像からスライドショーで使用する画像を指定する。「全画像選択」が選択されると、ＲＩＳＣ１１０は、ＨＤＤ１１４に記録された全ての画像を用いてスライドショーを表示する。「スライドショー作成」においては、スライドショーで使用すう画像の選択、表示時間、表示効果、ＢＧＭの設定を行なうことができる。
【００３０】
トップメニューの「設定」が選択されると、ＲＩＳＣ１１０は第２ＬＣＤ１０４に「同時表示枚数」、「表示モード」、「表示優先度」および「ソート順序」の項目を表示する。「同時表示枚数」および「表示優先度」の項目については、サブメニューの「同時表示枚数」および「表示優先度」の項目と同様の設定が可能である。「表示モード」においては、第１ＬＣＤ１０３および第２ＬＣＤ１０４に表示する画像の表示形態を設定することができる。「表示モード」が選択されると、ＲＩＳＣ１１０は第２ＬＣＤ１０４に「姿勢優先」と「サイズ優先」の項目を表示する。「姿勢優先」においては、「姿勢センサ」、「縦開き」および「横開き」のいずれかがユーザにより選択される。「姿勢センサ」においては、ＲＩＳＣ１１０は、画像の天地方向を姿勢センサ１１６が検出したビューア１００の上下方向に一致させて表示する。「縦開き」においては、ＲＩＳＣ１１０は、画像の天地方向をビューア１００の縦位置姿勢における上下方向に一致させて表示する。「横開き」においては、ＲＩＳＣ１１０は、画像の天地方向をビューア１００の横位置姿勢における上下方向に一致させて表示する。「サイズ優先」が選択された場合は、ＲＩＳＣ１１０は、画像の辺の長手方向を第１ＬＣＤ１０３あるいは第２ＬＣＤ１０４の辺の長手方向に一致させて表示する。
【００３１】
「ソート順序」は、画像のソート順序すなわち画像表示順序を設定する項目である。ユーザは、「ファイル名順」および「撮影日時順」のいずれかのソート順序を選択する。「ファイル名順」が選択されると、ＲＩＳＣ１１０は画像ファイルのファイル名に基づいて、辞書のルールに沿ったアルファベット順に昇順（ＡからＺ）もしくは降順（ＺからＡ）で画像ファイルをソートする。「撮影日時順」が選択されると、ＲＩＳＣ１１０は画像ファイルに記録された撮影日時情報に基づいて、昇順（過去から未来）もしくは降順（未来から過去）で画像ファイルをソートする。
【００３２】
ＨＤＤ１１４内の記録データについて図３を参照しながら説明する。
ＨＤＤ１１４の内部には、て、リサイズ画像ファイル用フォルダＦ１、ＶＧＡ画像データ用フォルダＦ２、画像処理データ用フォルダＦ３およびスライドショーデータ用フォルダＦ４が設けられている。さらに、ＨＤＤ１１４には、ビューア画像管理テーブルＴ１および表示優先度テーブルＴ２も設けられている。
【００３３】
リサイズ画像ファイル用フォルダＦ１は、たとえば２００万画素（１６００画素×１２００画素）のリサイズ画像ファイルを保存するためのフォルダである。リサイズ画像ファイルの画像データは、たとえばＪＰＥＧ形式で圧縮されている。リサイズ画像の生成処理については後で詳述する。ＶＧＡ画像データ用フォルダＦ２は、第１ＬＣＤ１０３および第２ＬＣＤ１０４の表示用に作成されたＶＧＡサイズの画像データを保存するためのフォルダである。ＶＧＡサイズの画像データは、ＲＩＳＣ１１０によりリサイズ画像ファイルに基づいて生成され、輝度色差形式（ＹＣｂＣｒ４２２形式）のファイル（ＶＧＡ画像ファイル）として保存される。画像処理データ用フォルダＦ３は、リサイズ画像ファイルに対して実行された画像処理の内容を示すデータ、すなわち画像処理データを保存するためのフォルダである。スライドショーデータ用フォルダＦ４は、スライドショーデータを保存するためのフォルダである。
【００３４】
ビューア画像管理テーブルＴ１は、ビューア１００のＨＤＤ１１４に保存されるリサイズ画像ファイルを管理するためのテーブルである。ビューア画像管理テーブルＴ１については後で詳述する。表示優先度テーブルＴ２は、ＲＩＳＣ１１０がビューア画像管理テーブルＴ１の表示優先度を決定する際に参照するテーブルである。表示優先度テーブルＴ２についても後で詳述する。
【００３５】
次に、ビューア画像管理テーブルＴ１について図４を用いて説明する。図４はビューア画像管理テーブルＴ１の一例を示す図である。「Ｎｏ．」はビューア画像管理テーブルＴ１に記録された順序に基づいて付加されるシリアルナンバーである。「リサイズ画像ファイル名」はリサイズ画像ファイルのファイル名を表す。図４のＮｏ．１に示すリサイズ画像ファイル名「ＤＳＣ＿０００５＿２００６＿０１＿０１＿１９３０．ｒｓｚ」は次の規則に基づいて与えられている。
【００３６】
ファイル名のプリフィックス（先頭部分）であるＤＳＣ＿０００５は、本画像ファイルのファイル名ＤＳＣ＿０００５．ｊｐｇの拡張子ｊｐｇを除いた部分と同一の文字列である。ファイル名のサフィックス（末尾部分）である＿２００６＿０１＿０１＿１９３０は、画像ファイルの撮影日時に基づいて付加される。すなわち、本例では、２００６年１月１日１９時３０分に撮影された画像なので、サフィックスが＿２００６＿０１＿０１＿１９３０となっている。
【００３７】
「ＶＧＡ画像ファイル名」はＶＧＡ画像ファイルのファイル名であり、リサイズ画像ファイル名の拡張子ｒｓｚをｙｃｃに置換したファイル名である。したがって、リサイズ画像ファイル名とＶＧＡ画像ファイル名との対応付けがなされている。「撮影日時」は撮影日時の情報、すなわち撮影時にカメラによってファイルが生成された日時を表す。「撮影日時Ｎｏ．」は撮影日時順に付加された番号である。「撮影日時Ｎｏ．」が大きいほど後に撮影された画像であることを表す。「表示優先度」は、上述した画像先読み処理を行なう際にＲＩＳＣ１１０が参照するデータである。表示優先度の値が大きい程、表示する優先度が高いことを意味する。先読み処理とは、上述したとおり、ユーザが閲覧指示をする可能性が高い複数の画像をＲＩＳＣ１１０が事前に予測して、ＳＤＲＡＭ１１１にＶＧＡ画像ファイルの画像データを書き込む処理である。ＲＩＳＣ１１０による先読み処理は、高速画像表示を実現するために行なわれる。先読み処理の詳細については後述する。
【００３８】
次に、ＲＩＳＣ１１０による表示優先度決定ルールについて説明する。図５に示す表示優先度テーブルＴ２は、ＲＩＳＣ１１０が表示優先度を決定する際に参照するテーブルである。表示優先度テーブルＴ２は、画像の撮影日やビューア１００における表示回数と、それらに割り当てられた重み付け値、すなわち表示優先度との対応を示すテーブルである。ＲＩＳＣ１１０は表示優先度テーブルＴ２を参照して、最後の撮影日に撮影された画像の表示優先度を１０と決定する。一般にユーザは最新の画像を閲覧する傾向があるため、優先度を最も高くする。ＲＩＳＣ１１０は、スライドショーに使用した画像の表示優先度を５と決定する。スライドショーに使用された画像は、ユーザのお気に入りの画像であるので、優先度を高くする。ＲＩＳＣ１１０は、ビューア画像管理テーブルＴ１に記録されている画像の表示回数と表示優先度テーブルＴ２とを参照して表示優先度を決定する。ただし、サムネイル画像の表示は、表示回数としてＲＩＳＣ１１０にカウントされない。ＲＩＳＣ１１０が表示回数をカウントするのは、画像が所定以上のサイズで表示された場合とする。たとえば４枚同時表示時における画像表示サイズ以上の場合に、ＲＩＳＣ１１０は表示回数をカウントし、ビューア画像管理テーブルＴ１の表示回数欄を更新する。
【００３９】
ＲＩＳＣ１１０は、ビューア画像管理テーブルＴ１の後述する「優先度高の指定」の欄を参照して、ユーザにより優先度が高いと指定された画像の表示優先度を５と決定する。したがって、ＲＩＳＣ１１０は、前述したように、先読みを行なう際に表示優先度を参照するので、優先度高の指定がされた画像がＲＩＳＣ１１０により先読みされる可能性が高くなる。また、ＲＩＳＣ１１０は、ビューア画像管理テーブルＴ１の後述する「優先度低の指定」の欄を参照して、ユーザにより優先度が低いと指定された画像の表示優先度を１に固定する。すなわち、ＲＩＳＣ１１０は、優先度低の指定がされた画像が何度表示されても、表示優先度を変更しない。したがって、優先度低の指定がされた画像は、ＲＩＳＣ１１０により先読みされる可能性が低くなる。ユーザのお気に入りの画像の前後の画像は、画像切替えに伴い表示回数が増える可能性が高い。しかし、それらの画像が必ずしもユーザのお気に入りの画像とは限らない。したがって、このような画像の表示優先度を１に固定することにより、ＲＩＳＣ１１０は、より表示優先度の高い画像を先読みすることができる。
【００４０】
ビューア画像管理テーブルＴ１の説明に戻る。「スライドショー使用」は画像がスライドショーに使用されたか否かを示す情報である。ある画像が初めてスライドショーに使用されると、ＲＩＳＣ１１０はその画像に対応するスライドショー使用の欄を更新する。「優先度高の指定」は、画像がユーザにより優先度が高いと指定されたか否かを示す情報である。前述したメニュー画面上からユーザにより優先度高が設定されると、ＲＩＳＣ１１０は優先度高の指定の欄を更新する。「優先度低の指定」は、画像がユーザにより優先度が低いと指定されたか否かを示す情報である。前述したメニュー画面上からユーザにより優先度低が設定されると、ＲＩＳＣ１１０は優先度低の指定の欄を更新する。
【００４１】
「ソート順序」はユーザのソート指示によって決定される画像表示順序を表す。「ソート順序」はユーザがソート指示を行う毎に書き換えられる。ユーザが指定できるソート条件は、たとえばファイル名順もしくは撮影日時順の２通りがある。後述するように、ソートされた画像は、ファイル名順や撮影日時順の並び方向とする基準軸上にソート順に順序付けされている。
【００４２】
「カメラ姿勢情報」は撮影時のカメラの姿勢を表す情報である。「カメラ姿勢情報」には、横位置撮影姿勢、＋９０度縦位置撮影姿勢および−９０度縦位置撮影姿勢の３通りがある。
すなわち、ユーザがカメラを横位置に構えて撮影する横位置撮影姿勢、横位置から時計回転方向に＋９０度の縦位置に構えて撮影する＋９０度縦位置撮影姿勢、および横位置から時計回転方向に−９０度の縦位置に構えて撮影する−９０度縦位置撮影姿勢である。後述するように、これらのカメラ姿勢情報は、カメラに設けた姿勢センサからの信号に基づいて、画像ファイルに記録される。
【００４３】
「画像処理管理情報」は、リサイズ画像データに対して実行される画像処理の種類、および処理を実行した順序を示す。図４のＮｏ．１の場合は、リサイズ画像データに対し階調変換が施された後に、色合いの調整が行なわれたことを示す。「画像処理データ名」は、画像処理管理情報に示される画像処理のパラメータを記録したデータである。図４のＮｏ．１の場合は、Ｐ００００２０．ｉｍｐが画像処理データである。画像処理データは、ＨＤＤ１１４内の画像処理データ用フォルダＦ３に保存されている。
【００４４】
「メタデータ更新日時」は、画像ファイルのヘッダに格納されたメタデータが更新された日時の情報を表す。メタデータについては、後に詳説する。「カメラ識別子情報」は画像を撮影したカメラを特定する情報である。具体的には、カメラメーカー名、カメラ機種名、カメラのシリアルナンバーが含まれている。
【００４５】
次に、リサイズ画像ファイルの生成方法について説明する。リサイズ画像ファイルは、以下の４通りの方法を用いて生成される。
（１）電子カメラによる被写体像の撮影時に生成
（２）撮影して取得した画像に対して電子カメラで生成
（３）パソコンなどの外部装置により生成
（４）ビューア１００により生成
【００４６】
（１）電子カメラによる被写体像の撮影時におけるリサイズ画像ファイルの生成
図６は、電子カメラ２００の要部構成を説明するブロック図である。電子カメラ２００は、撮影光学系２０１、撮像素子２０２、アナログ処理回路２０３、Ａ／Ｄ変換回路２０４、タイミングジェネレータ２０５、デジタル処理回路２０６、色補間処理部２０７、縮小画像生成部２０８、圧縮部２０９、メモリカードインタフェース２１０、ＣＰＵ２１１、ＬＣＤ駆動回路２１２、ＬＣＤ２１３、操作部２１４、姿勢センサ２１５を有する。
【００４７】
撮影光学系２０１は被写体像を後述の撮像素子２０２の受光面に結像する光学系である。撮像素子２０２は、受光した被写体光をその強度に応じた画像信号に変換する光電変換素子である。撮像素子２０２には、行列状に画素が配置されている。そのうち、たとえば縦２３０４画素×横３０７２画素の約７００万画素が有効撮像画素である。撮像素子２０２の受光素子の各画素の受光面には、Ｒ（赤色）、Ｇ（緑色）、Ｂ（青色）の各色のフィルタのいずれかがベイヤー配列で取り付けられている。Ｒフィルタが取り付けられている画素（Ｒ画素）では、入射光を赤色に色分解し、赤色に関する明るさに応じたレベルの画像信号を出力する。同様に、Ｇフィルタが取り付けられている画素（Ｇ画素）では、入射光を緑色に色分解し、緑色に関する明るさに応じたレベルの画像信号を出力する。Ｂフィルタが取り付けられている画素（Ｂ画素）では、入射光を青色に色分解し、青色に関する明るさに応じたレベルの画像信号を出力する。
【００４８】
アナログ処理回路２０３は、撮像素子２０２の出力する画像信号にアナログ的な処理を実行する回路である。アナログ処理には、アンプのゲインコントロールや相関二重サンプリングが含まれる。アンプのゲインは、ＣＰＵ２１１により設定されたＩＳＯ感度に基づいて決定される。Ａ／Ｄ変換回路２０４は、アナログ処理回路２０３から出力された画像信号をデジタルの画像データに変換する回路である。タイミングジェネレータ２０５は、ＣＰＵ２１１の命令に応じて、撮像素子２０２とアナログ処理回路２０３とＡ／Ｄ変換回路２０４にタイミング信号を出力し、撮像素子２０２とアナログ処理回路２０３とＡ／Ｄ変換回路２０４との駆動タイミングを制御する回路である。
【００４９】
ＣＰＵ２１１は、電子カメラ２００の各構成要素を制御したり、各種のデータ処理を実行する演算回路である。すなわちＣＰＵ２１１は、タイミングジェネレータ２０５を制御するほか、後述するデジタル処理回路２０６、色補間処理部２０７、縮小画像生成部２０８、圧縮部２０９、メモリカードインタフェース２１０、ＬＣＤ駆動回路２１２を制御する。またＣＰＵ２１１は図示しないメモリを内蔵しており、このメモリには、後述するように、操作部２１４を介して入力されたユーザの各種設定を保存する。
【００５０】
デジタル処理回路２０６は、Ａ／Ｄ変換回路２０４の出力する画像データに対してホワイトバランス処理とガンマ補正処理を実行する回路である。色補間処理部２０７は、デジタル処理回路２０６が出力する画像データに対して色補間処理を実行する。この補間処理により、全画素についてＲ、Ｇ、Ｂの各色についての画像データが得られる。上述したように、撮像素子２０２のＲ画素からは赤色に関する画像信号が出力されるが、緑色、青色に関する情報はない。同様に撮像素子２０２のＧ画素からは、赤色、青色の画像信号が出力されない。また、撮像素子２０２のＢ画素からは、赤色、緑色の画像信号が出力されない。そのため、例えばＲ画素については、周囲の画素の値に基づいて色補間処理を行うことにより、緑色と青色の画像データを生成する。同様の処理をＧ画素とＢ画素に対して行うことにより、全画素についてＲ、Ｇ、Ｂの各色についての画像データが得られる。
【００５１】
縮小画像生成部２０８は、上述したように約７００万画素の本画像データの画像サイズを縮小してサムネイル画像データと、ビュー画像データと、リサイズ画像データとを生成する回路である。サムネイル画像データのサイズは、たとえば縦１２０画素×横１６０画素である。ビュー画像データとは、後述するＬＣＤ２１３に表示するのに適切なサイズの画像データを意味する。ビュー画像データのサイズは、たとえば縦２４０画素×横３２０画素である。リサイズ画像データは、たとえば縦１２００×横１６００の画像データである。
【００５２】
圧縮部２０９は本画像データに対してＪＰＥＧ圧縮処理を実行する回路である。ＣＰＵ２１１は、サムネイル画像データと、ビュー画像データと、圧縮された本画像データと、画像データのヘッダ情報とから１つの画像データファイルを生成する。なお、縮小画像生成部２０８、圧縮部２０９、ＣＰＵ２１１による画像データファイル生成処理については、後で詳しく説明する。
【００５３】
メモリカードインタフェース２１０は、カメラに装着された上述したメモリカード３０１とデータ通信を行うインタフェースである。メモリカードインタフェース２１０は、ＣＰＵ２１１の制御に基づいて、画像データファイルをメモリカード３０１に書き込んだり、メモリカード３０１に記録されている画像データファイルを読み出すインタフェース回路である。
【００５４】
ＬＣＤ駆動回路２１２はＣＰＵ２１１の命令に基づいて、ＬＣＤ２１３に駆動信号を出力することにより、ＬＣＤ２１３を駆動する回路である。ＬＣＤ２１３はアスペクト比が縦３：横４の液晶表示パネルである。ＬＣＤ２１３は、液晶ビューファインダとしての表示、メモリカード３０１に記録されているサムネイル画像データやビュー画像データに基づく画像の表示を行う。また、ＬＣＤ２１３は、画像データファイルに関連する各種情報（シャッタ速度、絞り値、ＩＳＯ感度、ファイル名など）の表示を行う。また、ＬＣＤ２１３は、後述する操作部２１４の操作に基づき、電子カメラ２００の各種設定メニュー画面の表示を行う。
【００５５】
操作部２１４は、ユーザの操作を受け付けるスイッチである。操作部２１４には、電源スイッチ、レリーズボタン、設定メニューの表示切換スイッチ、設定メニュー決定ボタンなどが含まれる。姿勢センサ２１５は、撮影時のカメラの姿勢の情報を出力するセンサである。姿勢センサ２１５は、ユーザがカメラを横位置に構えて撮影する横位置撮影、横位置から時計回転方向に＋９０度の縦位置に構えて撮影する＋９０度縦位置撮影、および横位置から反時計回転方向に−９０度の縦位置に構えて撮影する−９０度縦位置撮影を識別する姿勢信号を出力する。この姿勢信号は画像ファイルに書き込まれる。
【００５６】
次に、電子カメラ２００による画像データのサイズの設定について説明する。ここでいう画像データサイズとは画素数を意味する。ユーザは事前に、操作部２１４を操作することにより本画像データのサイズを設定する。ユーザが選択できる本画像データのサイズには、第１サイズと第２サイズの２つサイズがある。第１サイズは縦２３０４画素×横３０７２画素であり、第２サイズは縦４８０画素×横６４０画素である。
【００５７】
ＣＰＵ２１１は、操作部２１４を介して入力された本画像データのサイズを、内部メモリに記憶する。ＣＰＵ２１１は、図７に示す画像サイズテーブルを参照して、入力された本画像データのサイズに基づいて、撮像した画像信号に対して画像処理を施す。第１サイズが設定されている場合、色補間処理部２０７で生成された画像データをそのまま本画像データとして画像データファイルを生成し、メモリカード３０１に記録する。第２サイズが設定されている場合、色補間処理部２０７で生成された画像データに対して、縮小画像生成部２０８が間引き処理を施して本画像データを生成する。ＣＰＵ２１１は生成された本画像データに基づいて画像データファイルを生成してメモリカード３０１に記録する。
【００５８】
ユーザは、ユーザの操作部２１４の操作により、上述した２００万画素に縮小したリサイズ画像を撮影時に同時に生成する撮影モード（リサイズ画像生成撮影モードと呼ぶ）を選択することができる。ＣＰＵ２１１は、リサイズ画像生成撮影モードが指示されると、リサイズ画像データのサイズも画像サイズテーブルに基づいて設定する。ユーザの操作部２１４の操作により、リサイズ画像生成撮影モード以外の撮影モードが指示された場合は、ＣＰＵ２１１はリサイズ画像データのサイズを設定しない。
【００５９】
図７の画像サイズテーブルに示すように、第１および第２のサイズに拘わらず、ＣＰＵ２１１は、サムネイル画像データサイズを縦１２０画素×横１６０画素に設定する。更にＣＰＵ２１１は、第１および第２のサイズに拘わらず、ビュー画像データサイズを縦２４０画素×横３２０画素に設定する。なお、サムネイル画像データサイズは、サムネイル画像データのサイズそのものである。
【００６０】
次に、電子カメラ２００の撮像動作について説明する。ユーザが操作部２１４を操作することにより電源がオンとなり、かつ静止画撮影モードに切換えられると、ＣＰＵ２１１は静止画撮影モードを設定する。静止画撮影モード設定状態で、ユーザが操作部２１４を操作することによりリサイズ画像生成撮影モードが指定されると、ＣＰＵ２１１はリサイズ画像生成撮影モードを設定する。上述のいずれの撮影モードであっても、ＣＰＵ２１１は、タイミングジェネレータ２０５、デジタル処理回路２０６、色補間処理部２０７、縮小画像生成部２０８およびＬＣＤ駆動回路２１２を制御することにより、１／３０秒の周期でＬＣＤ２１３に表示される画像を更新する。すなわち、電子ビューファインダとして機能するＬＣＤ２１３には被写体の動画像が表示される。
【００６１】
具体的には、ＣＰＵ２１１は、縮小画像生成部２０８に対して設定に基づいたビュー画像データを生成するように命令を出す。ビュー画像データサイズは、縦２４０画素×横３２０画素である。縮小画像生成部２０８は、ＣＰＵ２１１の命令に基づいて所定のタイミング（１／３０秒周期）でビュー画像データを生成する。
【００６２】
ユーザがレリーズスイッチを全押しすると、ＣＰＵ２１１は、撮像素子２０２から得られた測光値に基づいて、シャッタ速度、絞り値およびＩＳＯ感度を設定する。そしてＣＰＵ２１１は、不図示の絞りを設定した絞り値にする。ＣＰＵ２１１は、タイミングジェネレータ２０５を制御して、設定したシャッタ速度に応じた時間だけ電荷を蓄積するように撮像素子２０２を駆動する。また、ＣＰＵ２１１は、設定されたＩＳＯ感度に基づいて、アナログ処理回路２０３のアンプのゲインを決定し、アンプにゲインを設定する。
【００６３】
撮像素子２０２から出力される画像信号には、上述したアナログ処理回路２０３から色補間処理部２０７の処理が施される。ＣＰＵ２１１は、縮小画像生成部２０８に図７に示すようなサムネイル画像データとビュー画像データのサイズを指定する。そして、縮小画像生成部２０８は、本画像データに基づいて、ＣＰＵ２１１により指定されたサイズのサムネイル画像データとビュー画像データを生成する。
【００６４】
リサイズ画像生成撮影モードの場合は、ＣＰＵ２１１は、更に縮小画像生成部２０８にリサイズ画像データのサイズも指定する。縮小画像生成部２０８は、サムネイル画像データとビュー画像データに加えて、ＣＰＵ２１１により指定されたサイズのリサイズ画像データを本画像データに基づいて生成する。
【００６５】
ＣＰＵ２１１は、設定された本画像データのサイズに基づいて、本画像のデータを生成する。サイズが大きい第１サイズの場合、ＣＰＵ２１１は、色補間処理部２０７で生成した画像データをそのまま本画像データとする。サイズが小さい第２サイズの場合、色補間処理部２０７で生成した画像データに対して、縮小画像生成部２０８が間引き処理を行って本画像データを生成する。次にＣＰＵ２１１は、圧縮部２０９に対して生成された本画像データの圧縮処理を実行させる。リサイズ画像生成撮影モードの場合、ＣＰＵ２１１は、リサイズ画像データの圧縮も行う。
【００６６】
ＣＰＵ２１１は、画像データファイルを生成する。具体的には、ＣＰＵ２１１は、圧縮部２０９により圧縮された本画像データと、縮小画像生成部２０８が生成したサムネイル画像データとビュー画像データとから１つの画像データファイルを生成する。このとき、ＣＰＵ２１１は、画像データファイルのヘッダ部にサムネイル画像表示サイズとビュー画像表示サイズの情報を記録する。さらに、ＣＰＵ２１１は、シャッタ速度、絞り値、ＩＳＯ感度、ファイル名、撮影日時などの撮影情報も画像データファイルのヘッダ部に記録する。また、ＣＰＵ２１１は、画像データファイルのヘッダ部に各画像のデータファイルのアドレス情報、すなわちデータファイル中のどのアドレスにどのデータファイルが記録されているかを示す情報をも記録する。リサイズ画像生成撮影モードの場合は、ＣＰＵ２１１は、上述の画像データファイルとは別に、リサイズ画像ファイルを生成する。
【００６７】
ＣＰＵ２１１は、メモリカードインタフェース２１０を駆動して、生成した画像データファイルをメモリカード３０１に書き込む。リサイズ画像ファイルがある場合は、ＣＰＵ２１１は、上述の画像データファイルとは別のフォルダにリサイズ画像ファイルを保存する。そして、撮影時にリサイズ画像ファイルを作成する設定がユーザにより選択されている場合、ＣＰＵ２１１は、図８に示すようなカード画像管理テーブルを作成する。メモリカード３０１内に既にカード画像管理テーブルが作成されている場合、ＣＰＵ２１１は、カード画像管理テーブルを更新する。カード画像管理テーブルには、メモリカード３０１内における本画像のファイル名と、本画像ファイルに対応するリサイズ画像のファイル名と、本画像とリサイズ画像を保存するフォルダ名とが記録されている。また、画像を取得したカメラを特定するカメラ識別子情報もカード画像管理テーブルに記録される。カメラ識別子情報には、カメラメーカー名、カメラ機種名、カメラのシリアルナンバーが含まれている。
【００６８】
（２）撮影した画像に対して電子カメラによりリサイズ画像生成
上述した電子カメラ２００において、ユーザが操作部２１４を操作することにより電源がオンとなり、かつ画像再生モードに切換えられると、ＣＰＵ２１１は、画像再生モードを設定する。画像再生モードでは、ＣＰＵ２１１は、メモリカードインタフェース２１０を駆動して画像ファイルをメモリカード３０１から読み出す。読み出された画像ファイルに基づいて、ＣＰＵ２１１は、サムネイル画像データやビュー画像データに対応する画像をＬＣＤ２１３に表示する。なお、リサイズ画像データが生成されている画像に対しては、リサイズ済マークが重畳されて表示される。
【００６９】
ユーザは、操作部２１４を操作することにより、ＬＣＤ２１３に表示された画像の中からリサイズする画像を選択することができる。ユーザはリサイズ画像を生成する画像を指定するために、全画像指定、１画像指定、全画像解除の３つの指示を操作部２１４により行うことができる。
【００７０】
全画像指定とは、リサイズ画像生成用の画像としてＬＣＤ２１３に表示された全ての画像を指定することである。すなわち、ユーザが操作部２１４により全画像指定の操作を行なうと、ＣＰＵ２１１は、ＬＣＤ２１３に表示された画像のうち、リサイズ済マークが付いている画像を除く全ての画像がリサイズ画像生成用の画像に指定されたと認識する。すると、ＣＰＵ２１１は、ＬＣＤ駆動回路２１２を介してＬＣＤ２１３に表示された画像上にチェックマークを重畳表示する。このとき、既にリサイズ済マークが付いている画像にはチェックマークの表示は行なわれない。
【００７１】
１画像指定とは、リサイズ画像生成用の画像としてＬＣＤ２１３に表示された画像を個別に指定することである。すなわち、ユーザが操作部２１４により好みの画像を選択する操作を行なうと、ＣＰＵ２１１は、選択された画像がリサイズ画像生成用の画像に指定されたと認識する。すると、ＣＰＵ２１１は、ＬＣＤ駆動回路２１２を介してＬＣＤ２１３に選択された画像上にチェックマークを重畳表示する。既にチェックマークが付いている画像に対して、ユーザが操作部２１４により解除操作を行なうと、ＣＰＵ２１１はいサイズ画像生成の指定を解除し、チェックマークの表示を消去する。
【００７２】
全画像指定とは、上述した全画像指定または１画像指定により指定されたリサイズ画像生成の指定を全て解除することである。
【００７３】
そして、ユーザが操作部２１４を操作することによりリサイズ画像作成の指示を行うと、ＣＰＵ２１１は、チェックマークが付いている画像について、縮小画像生成部２０８にリサイズ画像を生成するように命令する。縮小画像生成部２０８は、ＣＰＵ２１１の命令に基づいてリサイズ画像データを生成する。
【００７４】
リサイズ画像データが生成されると、ＣＰＵ２１１は、リサイズ画像生成撮影モードにおける処理と同様にして、リサイズ画像ファイルを生成する。ＣＰＵ２１１は、メモリカードインタフェース２１０を駆動して、生成したリサイズ画像ファイルをメモリカード３０１に書き込む。ＣＰＵ２１１は、メモリカード３０１内の既存の画像ファイルとは別のフォルダにリサイズ画像ファイルを保存する。そして、ＣＰＵ２１１は、図８に示すようなカード画像管理テーブルを生成し、メモリカード３０１に書き込む。メモリカード３０１内に既にカード画像管理テーブルが作成されている場合、ＣＰＵ２１１は、カード画像管理テーブルを更新する。
【００７５】
（３）パソコンなどの外部装置によるリサイズ画像生成
−電子カメラで取得された画像ファイルが記録されたメモリカードに対する処理−
図１８はパーソナルコンピュータ(以下、パソコンと呼ぶ)４００の一例を示す概略制御ブロック図である。パソコン４００は、ＣＰＵ４０１、ＨＤＤ４０２、メモリカードインタフェース４０３、操作部４０４、モニタ４０５、外部インタフェース４０６を有する。パソコン４００によりリサイズ画像を生成する場合、ユーザにより画像管理ソフトを起動する。この画像管理ソフトは、ＨＤＤ４０２に記憶されている。ユーザが操作部４０４を操作して画像管理ソフトの起動が指示されると、ＣＰＵ４０１は画像管理ソフトを起動する。また、メモリカード３０１が装着されると、メモリカードインタフェース４０３はＣＰＵ４０１に対してメモリカード３０１が装着されたことを示す装着信号を出力する。ＣＰＵ４０１は、装着信号を入力すると、メモリカード３０１との通信を確立して、メモリカード３０１内のカード画像管理テーブルとサムネイル画像ファイルの送信を要求する信号を出力する。
【００７６】
ＣＰＵ４０１は、カード画像管理テーブルとサムネイル画像ファイルを読み込むと、入力したサムネイル画像ファイルに対応するサムネイル画像をモニタ４０５に表示する。なお、メモリカード３０１にカード画像管理テーブルが存在しない場合は、ＣＰＵ４０１はカード画像管理テーブルの読み込みを行なわない。たとえば、リサイズ機能を備えていない電子カメラ２００で取得されたサムネイル画像ファイルを読み込む場合が、この場合に相当する。ＣＰＵ４０１は、カード画像管理テーブルに基づいて、リサイズ画像ファイルが存在する画像にはリサイズ済であることを示すマークを重畳して表示する。
【００７７】
ユーザが操作部４０４を操作することにより、リサイズ画像を生成する画像が指定されると、ＣＰＵ４０１は、ユーザにより指定された画像に対応するリサイズ画像ファイルを生成する。ユーザはリサイズ画像を生成するために、電子カメラ２００の場合と同様に、１画像指定、全画像指定および全画像指定解除の３つの指示を操作部４０４により行うことができる。ＣＰＵ４０１は、生成したリサイズ画像ファイルをメモリカード３０１に記録する。さらに、ＣＰＵ４０１は、カード画像管理テーブルを更新する。更新されたカード画像管理テーブルは、メモリカード３０１に記録される。また、メモリカード３０１にカード画像管理テーブルが存在しない場合は、ＣＰＵ４０１はカード画像管理テーブルを新たに作成して、メモリカード３０１内に記録する。なお、パソコン４００と電子カメラ２００とが外部インタフェース４０６を介して、たとえばＵＳＢなどのケーブルで接続された場合についても同様にして、ＣＰＵ４０１によりサムネイル画像ファイルの読み込みと、リサイズ画像ファイルの生成とが行なわれる。
【００７８】
−パソコンの内蔵ドライブに保存されている画像からのリサイズ画像生成処理−
上述したパソコン４００のＨＤＤ４０２に記録されている画像ファイルからリサイズ画像ファイルを生成する場合について説明する。ユーザが操作部４０４を操作して画像管理ソフトの起動が指示されると、ＣＰＵ４０１は画像管理ソフトを起動する。ＣＰＵ４０１は、画像管理ソフトを起動すると、ＨＤＤ４０２内のＰＣ画像管理テーブルを読み出す。ＰＣ画像管理テーブルには、ＨＤＤ４０２に記録されている画像ファイルに対するリサイズ画像ファイルの有無に関する情報が記録されている。なお、ＰＣ画像管理テーブルは、カード画像管理テーブルと同項目の情報が記録されている。
【００７９】
ユーザが操作部４０４を操作してフォルダを指定すると、ＣＰＵ４０１は指定されたフォルダに保存されている画像ファイル中のサムネイル画像データを読み込む。ＣＰＵ４０１は、サムネイル画像データを読み込むと、読み込んだサムネイル画像データに対応するサムネイル画像をモニタ４０５に表示する。ＣＰＵ４０１は、ＰＣ画像管理テーブルに基づいて、リサイズ画像ファイルが存在する画像にはリサイズ済であることを示すマークを重畳して表示する。
【００８０】
ユーザが操作部４０４を操作することにより、リサイズ画像を生成する画像が指定されると、ＣＰＵ４０１は、ユーザにより指定された画像に対応するリサイズ画像ファイルを生成する。ユーザはリサイズ画像を生成するために、上述したようにして、１画像指定、全画像指定および全画像指定解除の３つの指示を操作部４０４により行うことができる。ＣＰＵ４０１は、生成したリサイズ画像ファイルをＨＤＤ４０２に記録する。さらに、ＣＰＵ４０１は、ＰＣ画像管理テーブルを更新する。ＰＣ画像管理テーブルが存在しない場合は、ＣＰＵ４０１は新たにＰＣ画像管理テーブルを作成する。
【００８１】
パソコン４００で生成されたリサイズ画像ファイルは、ＣＰＵ４０１によりユーザにより指定されたドライブに書き込まれる。たとえば、メモリカード３０１が接続されて、ユーザによりメモリカード３０１が指定された場合は、リサイズ画像ファイルはメモリカード３０１に書き込まれる。ＣＰＵ４０１は、メモリカード３０１への書き込みに先立って、メモリカード３０１のカード画像管理テーブルの送信を要求する。カード画像管理テーブルを入力すると、ＣＰＵ４０１は、生成したリサイズ画像ファイルのうち、いずれのリサイズ画像ファイルがメモリカード３０１に保存されていないのかを判別する。判別は、ＰＣ画像管理テーブルと入力したカード画像管理テーブルとを比較することにより行なわれる。
【００８２】
比較の際に、ＣＰＵ４０１は、ＰＣ画像管理テーブルのリサイズ画像ファイル名と、入力したカード画像管理テーブルのリサイズ画像ファイル名との差分をとる。なお、ＰＣ画像管理テーブルのリサイズ画像ファイル名と、カード画像管理テーブルのリサイズ画像ファイル名が同じであったとしても、それらの画像に付与されたカメラ識別子情報が異なれば、ＰＣ側の画像ファイルを差分として判定する。この場合、ＣＰＵ４０１は、ＰＣ側の画像ファイルのファイル名を、最後に「＿０１」等の文字を追加するなどして変更する。リサイズ画像ファイル名の差分をとることにより、ＣＰＵ４０１は、メモリカード３０１のカード画像管理テーブル内のリサイズ画像ファイル名とは異なるファイル名を有するリサイズ画像ファイル（差分画像ファイル）を抽出する。メモリカード３０１にカード画像管理テーブルが存在しない場合は、ＣＰＵ４０１はＰＣ画像管理テーブル内のすべてのリサイズ画像ファイルを差分画像ファイルとして認識する。差分画像ファイルを抽出すると、ＣＰＵ４０１は、差分画像ファイルに対応するリサイズ画像ファイルをメモリカード３０１に記録する。リサイズ画像ファイルが記録されると、ＣＰＵ４０１は、カード画像管理テーブルを更新してメモリカード３０１に記録する。
【００８３】
（４）ビューア１００によるリサイズ画像生成
ビューア１００にメモリカード３０１が装着されると、ＲＩＳＣ１１０は、メモリカード３０１に保存されている画像ファイルを読み込む。ＲＩＳＣ１１０は、読み込んだ画像ファイルを用いてリサイズ画像ファイルを生成して、ＨＤＤ１１４のリサイズ画像ファイル用フォルダＦ１に保存する。さらに、ＲＩＳＣ１１０はビューア画像管理テーブルＴ１を更新する。
【００８４】
メモリカード３０１が装着されると、メモリカードインタフェース１２０は、ＲＩＳＣ１１０に対してメモリカード３０１が装着されたことを示す装着信号を出力する。ＲＩＳＣ１１０は、装着信号を入力すると、メモリカード３０１との通信を確立して、メモリカード３０１内のカード画像管理テーブルの送信を要求する信号を出力する。さらに、ＲＩＳＣ１１０は、第１ＬＣＤインタフェース１１８を介して、第１ＬＣＤ１０３に、たとえば「画像データ入力中です。メモリカードをはずさないで下さい」などの警告文を表示する。
【００８５】
−メモリカード３０１にカード画像管理テーブルが存在する場合−
メモリカード３０１にカード画像管理テーブルが存在する場合、ＲＩＳＣ１１０は、カード画像管理テーブルを入力する。ＲＩＳＣ１１０は、入力したカード画像管理テーブルの中からリサイズ画像ファイルを認識する。ＲＩＳＣ１１０は、認識されたリサイズ画像ファイルがすでにＨＤＤ１１４に記録されているリサイズ画像ファイルか否かを判別する。この判別は、ビューア画像管理テーブルＴ１と入力したカード画像管理テーブルとを比較することにより行なわれる。
【００８６】
比較の際に、ＲＩＳＣ１１０は、入力したカード画像管理テーブルのリサイズ画像ファイル名と、ビューア画像管理テーブルＴ１のリサイズ画像ファイルとの差分をとる。リサイズ画像ファイル名の差分をとることにより、ＲＩＳＣ１１０は、ビューア１００のビューア画像管理テーブルＴ１内のリサイズ画像ファイル名とは異なるファイル名を有するリサイズ画像ファイル（差分画像ファイル）を抽出する。なお、カード画像管理テーブルのリサイズ画像ファイル名と、ビューア画像管理テーブルＴ１のリサイズ画像ファイル名が同じであったとしても、それらの画像に付与されたカメラ識別子情報が異なれば、メモリカード３０１側の画像ファイルを差分として判定する。この場合、ＲＩＳＣ１１０は、メモリカード３０１側の画像ファイルのファイル名を、最後に「＿０１」等の文字を追加するなどして変更する。
【００８７】
ＲＩＳＣ１１０は、差分画像ファイルに対応するリサイズ画像ファイルをメモリカード３０１から読み込む。ＲＩＳＣ１１０は、読み込んだリサイズ画像ファイルをＳＤＲＡＭ１１１に一時的に記憶してから、ＨＤＤ１１４のリサイズ画像ファイル用フォルダＦ１に記録する。リサイズ画像ファイルが記録されると、ＲＩＳＣ１１０はビューア画像管理テーブルＴ１を更新する。
【００８８】
ＲＩＳＣ１１０は、メモリカード３０１内の全ての画像を検索する。検索の結果、カード画像管理テーブルに記録された本画像ファイル名と本画像保存先フォルダ名とに基づいて、カード画像管理テーブルにファイル名が記録されていない未登録画像ファイルを抽出する。未登録画像ファイルを抽出すると、ＲＩＳＣ１１０は、未登録画像ファイルを読み込んで、ＳＤＲＡＭ１１１に展開する。ＲＩＳＣ１１０は、読み込んだ未登録画像ファイルを第１ＬＣＤ１０３に表示する。さらに、「リサイズ画像を作成しますか？」のような選択を促すメッセージを第２ＬＣＤ１０４に表示する。
【００８９】
ユーザが操作ボタン１０６を操作してリサイズ画像を生成する設定を選択している場合、ＲＩＳＣ１１０は、ＳＤＲＡＭ１１１に展開された画像ファイルに基づいてリサイズ画像ファイルを生成し、ＨＤＤ１１４のリサイズ画像ファイル用フォルダＦ１に記録する。そして、ＲＩＳＣ１１０はビューア画像管理テーブルＴ１を更新する。ＲＩＳＣ１１０は、未登録画像のファイル名をメモリカード３０１のカード画像管理テーブルに追加する。
【００９０】
さらに、ＲＩＳＣ１１０は、第１ＬＣＤインタフェース１１８を介して、第１ＬＣＤ１０３に、たとえば「画像データの入力が終了しました」などのメッセージを所定の時間表示する。
【００９１】
−メモリカード３０１にカード管理テーブルが存在しない場合−
メモリカード３０１にカード画像管理テーブルが存在しない場合、ＲＩＳＣ１１０は、メモリカード３０１内の画像ファイルを入力して、ＳＤＲＡＭ１１１に展開する。ＲＩＳＣ１１０は、ＳＤＲＡＭ１１１に展開された画像ファイルに基づいてリサイズ画像ファイルを生成し、ＨＤＤ１１４のリサイズ画像ファイル用フォルダＦ１に記録する。そして、ＲＩＳＣ１１０はビューア画像管理テーブルＴ１を更新する。ＲＩＳＣ１１０は、上述のリサイズ画像ファイル生成処理をメモリカード３０１内の全ての画像ファイルについて行なう。メモリカード３０１の全ての画像ファイルからリサイズ画像ファイルが生成されると、ＲＩＳＣ１１０は、第１ＬＣＤインタフェース１１８を介して、第１ＬＣＤ１０３に、たとえば「画像データの入力が終了しました」などのメッセージを所定の時間表示する。
【００９２】
ＲＩＳＣ１１０は、更新前のビューア画像管理テーブルＴ１におけるリサイズ画像ファイルのファイル名の前半部、たとえばＤＳＣ０００１と、上述したリサイズ画像ファイル生成処理で生成したリサイズ画像ファイルのファイル名の前半部とを比較する。比較の結果、同一ファイル名の画像ファイルが存在する場合は、ＲＩＳＣ１１０は双方のリサイズ画像ファイルに対応する画像を第１ＬＣＤ１０３に表示する。同一ファイル名を持つ画像が２枚存在するときは、２つの画像は第１ＬＣＤ１０３に左右に並べて表示される。同一ファイル名を持つ画像が３枚以上存在するときは、サムネイル画像表示を行う。この場合、新たに読み込まれた画像もしくは生成された画像を反転表示する。
【００９３】
さらに、ＲＩＳＣ１１０は、第２ＬＣＤ１０４に、たとえば「１．同じファイル名の画像がありました。反転表示画像を削除する。」、「２．同じファイル名の画像がありました。反転表示画像のファイル名を変更する。」、「３．同一ファイル名の画像を一括削除する。」、および「４．同一ファイル名の画像のファイル名を一括変更する。」のような選択を促すメッセージを表示する。
【００９４】
ユーザが操作ボタン１０６を操作して、「１．同じファイル名の画像がありました。反転表示画像を削除する。」を選択した場合、ＲＩＳＣ１１０は、ユーザに選択されたリサイズ画像ファイルをＨＤＤ１１４から削除する。ユーザはジョイスティック１０７と操作ボタン１０６を操作することにより、削除すべき画像を指定することができる。指定された画像は第１ＬＣＤ１０３上で反転表示される。
【００９５】
ユーザが操作ボタン１０６を操作して、「２．同じファイル名の画像がありました。反転表示画像のファイル名を変更する。」を選択した場合、ＲＩＳＣ１１０は、新たに生成されたリサイズ画像ファイルのファイル名を変更する。具体的には、ファイル名の末尾に所定の規則に基づいて文字、たとえば「＿０１」を追加する。さらに、ＲＩＳＣ１１０は、ビューア画像管理テーブルＴ１を更新する。ユーザが操作ボタン１０６を操作して、「３．同じファイル名の画像を一括削除する。」を選択した場合、ＲＩＳＣ１１０は、第２ＬＣＤ１０４に、たとえば「同じファイル名の画像を削除します。よろしいですか？」などの警告文を表示する。ユーザが操作ボタン１０６を操作して「ＯＫ」を選択すると、ＲＩＳＣ１１０は、新たに生成したリサイズ画像ファイルをＨＤＤ１１４から削除する。ユーザが操作ボタン１０６を操作して「キャンセル」を選択すると、ＲＩＳＣ１１０は、第２ＬＣＤ１０４に再び前述した選択を促すメッセージを表示する。
【００９６】
「４．同一ファイル名の画像のファイル名を一括変更する。」が選択されると、ＲＩＳＣ１１０は、新たに読み込んだリサイズ画像もしくは新たに作成したリサイズ画像のファイル名を一括して変更する。具体的には、上述したように、ファイル名の末尾に所定の規則に基づいて文字を追加して、互いのファイル名が識別できるようにする。
以上の処理が終了すると、ＲＩＳＣ１１０は、ビューア画像管理テーブルＴ１を更新する。
【００９７】
（画像表示について）
ビューア１００の第１ＬＣＤ１０３または第２ＬＣＤ１０４に画像を表示する処理を説明する。第１ＬＣＤ１０３または第２ＬＣＤ１０４に表示される画像はＶＧＡ画像であるが、ここでは、ＶＧＡ画像が作成されていない場合について説明する。ユーザにより操作ボタン１０６、ジョイスティック１０７およびタッチパネル１２２などの操作により、第１ＬＣＤ１０３または第２ＬＣＤ１０４に表示する画像を指定する。これにより、ＲＩＳＣ１１０は、指定された画像に対応するリサイズ画像ファイルをＨＤＤ１１４から読み出し、ＳＤＲＡＭ１１１に展開する。ＲＩＳＣ１１０は、ＳＤＲＡＭ１１１に展開したリサイズ画像ファイルからＶＧＡ画像ファイルを生成する。ＶＧＡ画像ファイルを生成すると、ＲＩＳＣ１１０はＶＧＡ画像ファイルをＨＤＤ１１４内のＶＧＡ画像データ用フォルダＦ２に記録する。さらに、ＲＩＳＣ１１０は、ビューア画像管理テーブルＴ１の「ＶＧＡ画像ファイル名」および「ＶＧＡ画像ファイル有無」の欄を更新する。そして、ＲＩＳＣ１１０は、ＶＧＡ画像ファイルに対応する画像を第１ＬＣＤ１０３または第２ＬＣＤ１０４に表示する。
【００９８】
ビューア１００の第１ＬＣＤ１０３または第２ＬＣＤ１０４に表示される画像の枚数は、ユーザにより設定される。画像の表示枚数の設定は、第１ＬＣＤ１０３または第２ＬＣＤ１０４に表示されるメニュー画面の同時表示枚数設定のメニューから行なうことができる。また、タッチパネル１２２上を指こすり操作して枚数を変更することも出来るできる。１枚表示が設定された場合、ＲＩＳＣ１１０は、図９（ａ）に示すように、第１ＬＣＤ１０３および第２ＬＣＤ１０４の２画面を用いて１枚の拡大画像を表示する。
【００９９】
２枚表示が設定された場合、ＲＩＳＣ１１０は、図９（ｂ）、（ｃ）に示すように、第１ＬＣＤ１０３および第２ＬＣＤ１０４のそれぞれに１枚ずつの画像を表示する。すなわち、ＲＩＳＣ１１０は合計で２枚の画像を同時に表示する。この場合、画像表示はＶＧＡ画像データを用いて行われる。
【０１００】
なお、図９（ｂ）は、ビューア１００を横位置姿勢で保持し、姿勢優先モードで２枚表示が設定された場合の表示画面例を示す。図９（ｃ）は、ビューア１００を横位置姿勢で保持し、サイズ優先モードで２枚表示が設定された場合の表示画面例を示す。
【０１０１】
４枚表示が設定された場合、ＲＩＣＳ１１０は、図９（ｄ）〜（ｆ）に示すように、第１ＬＣＤ１０３および第２ＬＣＤ１０４のそれぞれに２枚ずつ、合計で４枚の画像を同時に表示する。４枚の画像は、ＶＧＡ画像データを縮小した縮小画像データにより表示される。なお、図９（ｄ）は、ビューア１００を横位置姿勢で保持し、姿勢優先モードで４枚表示が設定された場合の表示画面例を示す。図９（ｅ）は、ビューア１００を横位置姿勢で保持し、サイズ優先モードで４枚表示が設定された場合の表示画面例を示す。図９（ｆ）は、ビューア１００を縦位置姿勢で保持し、姿勢優先モードで４枚表示が設定された場合の表示画面例を示す。
【０１０２】
ユーザにより、図１９に示すメニュー画面のトップメニューの中から画像表示が選択されると、ＲＩＳＣ１１０は、図１０に示すように、第１ＬＣＤ１０３および第２ＬＣＤ１０４を用いてサムネイル画像を表示する。図１０に示すサムネイル画像の中から、操作ボタン１０６とジョイスティック１０７の操作により、いずれかの画像が指定されると、ＲＩＳＣ１１０は上述した表示枚数の設定に応じて第１ＬＣＤ１０３および第２ＬＣＤ１０４に画像を表示する。
【０１０３】
次に、ＲＩＳＣ１１０により行なわれる先読み処理について説明する。先読み処理では、ユーザの選択操作によりビューア１００に表示される可能性の高い複数の画像（予測画像）が、ＲＩＳＣ１１０により事前に予測される。後述するように、ＨＤＤ１１４のリサイズ画像ファイル用フォルダＦ１に記録されているリサイズ画像ファイルの各種データに基づいて先読み処理が実行される。すなわち、ＲＩＳＣ１１０は、リサイズ画像ファイルのメタデータなどに基づいて画像を選択してＶＧＡ画像データを作成し、このＶＧＡ画像データをＳＤＲＡＭ１１１に記録するとともに、ＶＧＡ画像データを含む画像ファイルをＨＤＤ１１４に記録する。ＨＤＤ１１４のリサイズ画像ファイルに基づいて、所定の規則に則って画像を先読みして、ＳＤＲＡＭ１１１にＶＧＡ画像データを記録する処理を先読み処理と呼ぶ。このような先読み処理により、ユーザが画像表示指定操作を行った際に、画像表示切換を高速化することができる。
【０１０４】
なお、予測された画像に対応するＶＧＡ画像ファイルが既にＨＤＤ１１４に記録されている場合、ＲＩＳＣ１１０は、ＨＤＤ１１４のＶＧＡ画像ファイルをＳＤＲＡＭ１１１に記録する。ＶＧＡ画像ファイルがＨＤＤ１１４に記録されていない場合、ＲＩＳＣ１１０は、ＨＤＤ１１４のリサイズ画像ファイルからＶＧＡ画像データを作成して、ＳＤＲＡＭ１１１に記録する。また、ＲＩＳＣ１１０は作成されたＶＧＡ画像データに基づいて、ＶＧＡ画像ファイルを生成し、ＨＤＤ１１４に記録する。なお、ＳＤＲＡＭ１１１には、先読みするＶＧＡ画像データを最大２００枚書き込む領域が確保されている。
【０１０５】
この実施形態のビューア１００は、先読みモードとして、メタデータ一致優先モードおよびお気に入り画像優先モードを有する。先読みモードは、第１ＬＣＤ１０３または第２ＬＣＤ１０４に表示されるメニュー画面を参照しながら、ユーザによる操作ボタン１０６、ジョイスティック１０７およびタッチパネル１２２のいずれかの操作により選択される。ＲＩＳＣ１１０は、先読みモードに応じて先読み順序の設定方法（先読み規則）を変える。メタデータ一致優先モードにおいては、ＲＩＳＣ１１０は、読み出した画像ファイルのメタデータと一致するメタデータを有する画像ファイルを先読みする。お気に入り画像優先モードにおいては、ＲＩＳＣ１１０は、図４に示すビューア画像管理テーブルＴ１の表示優先度に基づいて、表示優先度の高い画像ファイルを優先して読み出す。
【０１０６】
以下、メタデータ一致優先モードおよびお気に入り画像優先モードについて説明する。
−メタデータ一致優先モード−
メタデータ一致優先モードにおけるＲＩＳＣ１１０による先読み処理について説明する。ＲＩＳＣ１１０は、メタデータの一致度に基づいて画像ファイルを先読みする順序を決定する。そして、ＲＩＳＣ１１０は、ビューア１００にＶＧＡ画像を表示するごとに、メタデータ累積値を更新する。更新されたメタデータ累積値に基づいて、ＲＩＳＣ１１０は先読み規則を変更する。
【０１０７】
この実施の形態におけるメタデータは、画像データを特徴付けるようなデータであり、画像ファイルのヘッダに格納されている。たとえば、メタデータとして、被写体カテゴリ情報もしくは撮影地情報を用いる。被写体カテゴリ情報は、たとえば人物、風景、花などのような被写体を識別するパラメータ情報である。撮影地情報は、ＧＰＳの情報に基づいた、たとえば１０００領域の地域データにより分類された情報である。
【０１０８】
メタデータは、リサイズ画像ファイルを作成する際、ユーザによりパソコン上で入力することができる。たとえば、ユーザは、パソコンのディスプレイ上に表示された画像の内容に基づいてメタデータを入力することができる。人物の画像であれば、図１１に示すメタデータ設定画面の人物のチェックボックスにチェックを入れる。チェックを入れると、図１１に示すようにチェックボックスに「レ」が表示される。チェックボックスはメタデータの種類、すなわち、人物、風景、花の数だけ用意されている。あるいは、画像ファイルのＥＸＩＦデータから撮影モード情報を読み出して、撮影モードに基づいてメタデータを作成することができる。たとえば、読み出された撮影モードがポートレートモードであれば人物のメタデータ、クローズアップモードであれば花のメタデータ、風景モードであれば風景のメタデータを作成する。
【０１０９】
図１２を参照してメタデータの一致度に基づいた先読み順序の決定方法について説明する。ビューア１００に最初にＶＧＡ画像１が表示され、以後、ＶＧＡ画像２、ＶＧＡ画像３の順で表示された場合を図１２（ａ）に示す。ＶＧＡ画像１〜３を以下では単に画像とする。それぞれの画像に対応する画像ファイルには図１２（ａ）に示すようにメタデータが含まれている。すなわち、画像１ファイルには人物および風景のメタデータが、画像２ファイルには人物、風景および花のメタデータが、画像３ファイルには人物のメタデータがそれぞれ含まれている。
【０１１０】
ユーザの表示画像指示操作により、人物および風景のメタデータを有する画像１がビューア１００に表示された場合、ＲＩＳＣ１１０は、図１２（ｂ）に示すように、人物と風景の累積値をそれぞれ１にする。そして、ＲＩＳＣ１１０は、ＨＤＤ１１４内のリサイズ画像ファイル用フォルダＦ１を検索して、画像１ファイルの撮影日時を基準として、撮影日時の時間軸が近い画像ファイルから遠い画像ファイルに向けて人物のメタデータを含む画像ファイルの画像データ以下の手順で１つ先読みする。すなわち、ＲＩＳＣ１１０は先読みすべき画像データをＳＤＲＡＭ１１１に記録する。まず、ＲＩＳＣ１１０は先読みすべき画像データがＳＤＲＡＭ１１１に既に記録されているか否かを判定する。先読みすべき画像データがＳＤＲＡＭ１１１に記録されていない場合、ＲＩＳＣ１１０は、先読みすべき画像データを含む画像ファイルがＨＤＤ１１４内のＶＧＡ画像データ用フォルダＦ２に存在するか否かを検索して確認する。先読みすべき画像データを含むＶＧＡ画像ファイルがあれば、ＲＩＳＣ１１０は、そのＶＧＡ画像ファイルの画像データをＳＤＲＡＭ１１１に記録する。先読みすべき画像データを含むＶＧＡ画像ファイルがなければ、ＲＩＳＣ１１０は、リサイズ画像ファイルからＶＧＡ画像データを作成し、ＳＤＲＡＭ１１１に記録する。そして、ＲＩＳＣ１１０は、ＶＧＡ画像データからＶＧＡ画像ファイルを作成し、ＶＧＡ画像データ用フォルダＦ２に記録する。
【０１１１】
このようにして次画像として人物のメタデータを有する画像が１つ先読みされると、次に、ＲＩＳＣ１１０は、同様にして、画像１ファイルの撮影日時を基準として、撮影日時の時間軸が近い画像ファイルから遠い画像ファイルに向けて風景のメタデータを含む画像ファイルを１つ先読みする。ＲＩＳＣ１１０は、このようにして人物→風景→人物→風景の画像先読みを繰り返す。その結果、ＳＤＲＡＭ１１１内に人物→風景→人物→風景の順序で先読みしたＶＧＡ画像データが記録される。
【０１１２】
次に、画像１の後に、ユーザ操作により画像２、画像３が順次に選択され、ビューア１００にＶＧＡ画像として表示された場合の先読みについて説明する。
画像２に対応する画像２ファイルは、図１２（ａ）に示すように、人物、風景および花のメタデータを有するので、ＲＩＳＣ１１０は、図１２（ｂ）に示すように、メタデータの累積値を人物２、風景２、花１に更新する。ＲＩＳＣ１１０は、メタデータの累積値が更新されたので、先読みの順序を変更して、人物、風景、人物、風景、花の順序で先読みを実行する。
【０１１３】
ユーザの表示画像選択操作により、人物のメタデータを有する画像３がビューア１００にＶＧＡ画像として表示されると、ＲＩＳＣ１１０は、図１２（ｂ）に示すように、メタデータの累積値を人物３、風景２、花１に更新する。この場合もＲＩＳＣ１１０は、メタデータの累積値が更新されたので、先読みの順序を変更して、人物、人物、風景、人物、風景、花の順序で先読みする画像ファイルを選択する。
このように、この実施の形態のビューア１００では、表示画像が切換えられるたびにメタデータ累積値が更新され、これに伴って先読み順序が変更される。
【０１１４】
メタデータに重み付けがされている場合は、ＲＩＳＣ１１０は、重み付けされた値だけメタデータの累積値を増やす。たとえば、ユーザの指示に基づき、ＲＩＳＣ１１０が人物の重み付けを２に設定すると人物のメタデータは２倍となる。よって、画像１に対応する画像ファイル(以下、画像１ファイル、画像２ファイルのように呼ぶ)の人物のメタデータが２であれば、画像１が表示された時点で、ＲＩＳＣ１１０は、メタデータの累積値を人物２、風景１とする。
【０１１５】
メタデータとしてＧＰＳデータを用いる場合は、ＲＩＳＣ１１０は地域ごとにメタデータの累積値を設定する。ＲＩＳＣ１１０は、この累積値に基づいて上述と同様にして先読みの順序を変更して、先読みを実行する。
【０１１６】
たとえば、図１２（ｃ）に示すように、画像１ファイルのメタデータが地域１、画像２ファイルのメタデータが地域１、画像３ファイルのメタデータが地域２とする。画像１がビューア１００に表示されている場合、ＲＩＳＣ１１０は、地域１のメタデータの累積値を、図１２（ｄ）に示すように、１に設定する。そして、ＲＩＳＣ１１０は、画像１ファイルの撮影日時を基準として、撮影日時の時間軸が近い画像ファイルから遠い画像ファイルに向けて地域１のメタデータを含む画像ファイルの画像データを前述した手順と同様の手順で先読みする。
【０１１７】
ユーザの画像表示選択操作により、ビューア１００のＶＧＡ画像１がＶＧＡ画像２に切り換わった場合は、ＲＩＳＣ１１０は、図１２（ｄ）に示すように、地域１のメタデータの累積値を２に変更する。この場合も、ＲＩＳＣ１１０は、画像１ファイルの撮影日時を基準として、撮影日時の時間軸が近い画像ファイルから遠い画像ファイルに向けて地域１のメタデータを含む画像ファイルの画像データを先読みする。
【０１１８】
さらに、ユーザの画像表示選択操作により、ビューア１００の表示がＶＧＡ画像３に切り換わった場合は、ＲＩＳＣ１１０は、図１２（ｄ）に示すように、地域１のメタデータの累積値を２、地域２のメタデータの累積値を１に変更する。この場合、画像ファイル３の画像が表示された時点で、ＲＩＳＣ１１０は、画像１ファイルの撮影日時を基準として、撮影日時の時間軸が近い画像ファイルから遠い画像ファイルに向けて、地域１、地域１、地域２の順序で先読みを実行する。
【０１１９】
−お気に入り画像優先モード−
お気に入り画像優先モードにおいては、ＲＩＳＣ１１０は表示優先度に基づいて先読みする画像を選択する。表示優先度は、前述したように、図４に示すビューア画像管理テーブルＴ１に記録されている。ＲＩＳＣ１１０は表示優先度の高い画像のＶＧＡ画像データから順に先読みする。ＲＩＳＣ１１０は、ビューア１００に表示中の画像に対応する画像ファイルの撮影日時を基準として、撮影日時の時間軸が近い画像ファイルから遠い画像ファイルに向けて表示優先度の高い順にＶＧＡ画像データを先読みする。
【０１２０】
以上のようにして、メタデータ一致度優先モードもしくはお気に入り画像優先モードにより、基準画像の撮影日時を基準として過去、未来に向かう時間軸の近い順に画像ファイルの先読み処理が行われる。
【０１２１】
以上説明したビューア１００では、メタデータもしくは表示優先度に基づいて、時間軸上で近い順にＶＧＡ画像データを先読みした。しかしながら、ＲＩＳＣ１１０により決定された画像切替え方向を加味して画像ファイルを先読みすることもできる。
【０１２２】
（画像切替え向を考慮した先読み処理）
ＲＩＳＣ１１０は、ジョイスティック１０７またはタッチパネル１２２による画像の切替え操作に基づいて演算される方向履歴ｋの値も参照して、メタデータや表示優先度を用いて画像の先読みを行う。たとえば、ユーザが、過去の撮影日時の画像を好んで選択している場合は、過去の時間軸に沿って並ぶ画像ファイルをあらかじめ決定された先読み規則により先読みする。あるいは、ユーザが、未来の撮影日時の画像を好んで選択している場合は、未来の時間軸に沿って並ぶ画像ファイルをあらかじめ決定された先読み規則により先読みする。このような先読み処理を画像切替え方向を考慮した先読み処理と呼ぶ。
【０１２３】
方向履歴ｋは、画像切替え方向を決定するための変数である。ここで、ビューア１００に読み込まれた画像に対して、撮影日時によりソートした場合、ビューア画像管理テーブルのソート順序の番号は、画像を撮影日順に並べた番号となる。このように時間軸上に画像をソートしている場合、画像切替え方向は、次に表示する画像（次画像）をユーザが選択する際の操作履歴に基づいて、ビューア１００が先読みする際の時間軸の方向である。すなわち、画像切替え方向は、表示画像選択操作により表示中の画像の撮影日時を基準とした未来方向と過去方向の２つの方向である。なお、以下の説明において、表示画像選択操作により表示中の画像を基準画像と呼び、そのファイルを基準画像ファイルと呼ぶ。
【０１２４】
ビューア１００に表示中の画像の撮影日時よりも前の撮影日時を過去、基準撮影日よりも後の撮影日時を未来として、方向履歴ｋについて説明する。
ユーザが次に表示する画像（次画像）として過去の画像ファイルを指定した場合、ＲＩＳＣ１１０は、ｋの値から１を減ずる。次画像として未来の画像ファイルがユーザにより指定された場合、ＲＩＳＣ１１０は、ｋの値に１を加える。ユーザによる次画像の指定は、ジョイスティック１０７またはタッチパネル１２２により行なわれる。たとえば、ｋ＝０の場合は、次画像として選択された過去の画像ファイルと次画像として選択された未来の画像ファイルが同数の場合を示す。ｋ＝３の場合は、たとえば３回続けて次画像として未来の画像ファイルが選択されたことを示す。ｋ＝−３の場合は、たとえば３回続けて次画像として過去の画像ファイルが選択されたことを示す。
【０１２５】
なお、画像切替え方向を考慮しない先読みの規則を第1決定規則と呼び、画像切替え方向を考慮した先読みの規則を第２決定規則と呼ぶ。換言すると、方向履歴ｋ＝０の場合は第１決定規則、ｋ≠０の場合は第２決定規則と呼ぶ。
【０１２６】
以下、画像切替え方向を考慮しない先読み処理と、画像切替え方向を考慮した先読み処理について説明する。
（メタデータ一致モードにより画像切替え方向を考慮しない先読み処理:）
方向履歴ｋ＝０の場合は、画像切替え方向を考慮した先読みを行なわない。この場合、基準画像ファイルに近い順に先読み順序、すなわちメタデータや表示優先度に従って先読みするＶＧＡ画像データに対応する画像ファイルを選択する。基準画像ファイルから時間的に等距離に先読みの対象となる画像ファイルが存在する場合、ＲＩＳＣ１１０は、ソート順序が高い画像ファイルを先読みすべきＶＧＡ画像データに対応する画像ファイルとして選択する。ソート順序は、前述したように、ビューア画像管理テーブルＴ１に記録されている。
【０１２７】
なお、ビューア１００の電源投入直後においては、ＲＩＳＣ１１０は、ソート順序が最も高い画像ファイルを基準画像ファイルとする。たとえば、撮影日時順にソートされている場合、最後に撮影された画像、すなわち最新の撮影日時を有する画像ファイルを基準画像ファイルとする。
【０１２８】
先読みすべきＶＧＡ画像データに対応する画像ファイルを選択することを、単に先読み画像の選択と呼ぶことにする。図１３（ａ）は、メタデータ一致モードで画像切替え方向を考慮しない先読み画像の選択順序を説明する図である。図１３（ａ）においては、ソート順序Ｎｏ．５の画像ファイルに対応する画像がビューア１００にＶＧＡ画像として表示されているものとする。すなわち、ソート順序Ｎｏ．５の画像ファイルが基準画像ファイルとなる。ソート順序Ｎｏ．５の画像ファイルは、人物および風景のメタデータを有しており、人物→風景→人物→風景の順で画像を先読みする。また、図１３（ａ）においては、たとえば画像の撮影日時順に、ソート順序Ｎｏ．１〜ソート順序Ｎｏ．９までの画像ファイルが並んでいるものとする。
【０１２９】
ＲＩＳＣ１１０は、ソート順序Ｎｏ．５の画像ファイル、すなわち基準画像ファイルに近い順に人物のメタデータを有する画像ファイルを検索する。人物のメタデータを有する画像ファイルのうち、ソート順序Ｎｏ．６の画像ファイルが基準画像ファイルに最も近い位置にある。したがって、ＲＩＳＣ１１０はソート順序Ｎｏ．６の画像ファイルを選択する。続いて、ＲＩＳＣ１１０は、風景のメタデータを有する画像ファイルを検索する。風景のメタデータを有する画像ファイルのうち、ソート順序Ｎｏ．３の画像ファイルが基準画像ファイルに最も近い位置にある。したがって、ＲＩＳＣ１１０はソート順序Ｎｏ．３の画像ファイルを選択する。
【０１３０】
ＲＩＳＣ１１０は、再び基準画像ファイルに近い順に人物のメタデータを有する画像ファイルを検索する。ソート順序Ｎｏ．６の画像ファイルは既に選択されているので、ＲＩＳＣ１１０は、基準画像ファイルから時間的に等距離にあるソート順序Ｎｏ．２またはソート順序Ｎｏ．８のいずれかの画像ファイルを選択する。この場合、ＲＩＳＣ１１０はソート順序を参照して選択する画像ファイルを決定する。ソート順序Ｎｏ．２の画像ファイルのソート順序はソート順序Ｎｏ．８の画像ファイルのソート順序より高いので、ＲＩＳＣ１１０はソート順序Ｎｏ．２の画像ファイルを選択する。
【０１３１】
以後同様にして、ＲＩＳＣ１１０は、風景のメタデータを有する画像ファイルの選択と人物のメタデータを有する画像ファイルの選択を交互に行なう。すなわち、ＲＩＳＣ１１０は、人物→風景→人物→風景の順でメタデータを検索して、ソート順序Ｎｏ．１、ソート順序Ｎｏ．８、ソート順序Ｎｏ．９の順に先読みする画像ファイルを選択する。ソート順序Ｎｏ．４およびＮｏ．７の画像ファイルについては、人物もしくは風景のメタデータを有していないので、先読みする画像として選択されない。
【０１３２】
（お気に入り画像優先モードにより画像切替え方向を考慮しない先読み処理:）
図１４（ａ）および（ｂ）は、お気に入り画像優先モードで画像切替えを行なわない場合の先読み画像の選択順序を示す。
まず、電源投入直後のＶＧＡ画像データの先読みについて、図１４（ａ）を参照して説明する。図１４（ａ）においても、図１３（ａ）と同様に、画像ファイルが撮影日時順に並んでいるものとする。すなわち、ソート順序Ｎｏ．１の撮影日時がもっとも新しい。図１４（ａ）に示すように、ソート順序Ｎｏ．４の画像ファイルの表示優先度が最も高いので、ＲＩＳＣ１１０はソート順序Ｎｏ．４の画像ファイルの先読み順序を一番とする。すなわち、ソート順序Ｎｏ．４の画像ファイルが基準画像ファイルとなる。以後、ＲＩＳＣ１１０は、表示優先度の高い順に従って、先読みする画像を選択する。また、画像ファイルの表示優先度が同一である場合は、ＲＩＳＣ１１０はソート順序に基づいて先読みする画像を選択する。たとえば、図１４（ａ）では、ソート順序Ｎｏ．１、Ｎｏ．２、Ｎｏ．５、Ｎｏ．７およびＮｏ．９の画像ファイルの表示優先度が１である。この場合、ＲＩＳＣ１１０は、ソート順序に基づいて、ソート順序Ｎｏ．１、Ｎｏ．２、Ｎｏ．５、Ｎｏ．７、Ｎｏ．９の順序で先読みする画像を選択する。
【０１３３】
次に、ユーザがソート順序Ｎｏ．６の画像を選択してＶＧＡ画像として表示した後、お気に入り画像優先モードで画像切替えを行なわない場合の先読みについて説明する。図１４（ｂ）では、ソート順序Ｎｏ．６の画像ファイルに対応する画像がビューア１００に表示され、ソート順序Ｎｏ．６の画像ファイルが基準画像ファイルである。図１４（ｂ）においても、画像ファイルが撮影日時順に並んでいるものとする。
【０１３４】
ＲＩＳＣ１１０は、まず、表示優先度の高い順序で先読み画像ファイルを選択する。すなわち、表示優先度の高い順序に従って、ソート順序Ｎｏ．４、Ｎｏ．８、Ｎｏ．３の順序で先読み画像を選択する。表示優先度が同一である残りの画像ファイルについては、ＲＩＳＣ１１０は、基準画像ファイルに近い順に先読み画像を選択する。また、基準画像ファイルから時間的に等距離にあるソート順序Ｎｏ．５およびＮｏ．７の画像ファイルについて、ＲＩＳＣ１１０は、ソート順序に応じて先読み画像を選択する。以後、ＲＩＳＣ１１０により、基準画像ファイルから近い順に、ソート順序Ｎｏ．９、Ｎｏ．２、Ｎｏ．１の順序で画像が選択される。
【０１３５】
次に、画像切替え方向を考慮した画像の先読みについて説明する。
画像切替え方向は方向履歴ｋに応じて決定される。方向履歴ｋ＝０の場合、画像切替え方向を考慮した先読みを行わない。上述したとおり、画像切替え方向は、ビューア１００が画像を先読みする際の時間軸の方向である。したがって、画像切替え方向は、基準となる画像の撮影日時から過去に向かう方向と、基準撮影日時から未来に向かう方向である。
【０１３６】
まず、ＲＩＳＣ１１０は、画像切替え方向に存在する画像ファイルの中から、先読み順序、すなわちメタデータや表示優先度に基づいて先読み画像を選択する。たとえば、画像切替え方向が基準撮影日時から過去の方向であれば、ＲＩＳＣ１１０は、基準撮影日時から過去に向かう時間軸上の画像ファイルの中から、基準画像ファイルに近い順に、メタデータや表示優先度に基づいて先読み画像を選択する。画像切替え方向に並ぶ画像の全てに対する先読み処理が終了すると、ＲＩＳＣ１１０は、画像切替え方向と逆方向の時間軸方向に並ぶ画像ファイルについても画像の先読みを行う。すなわち、基準撮影日時から過去に向かう時間軸上に並ぶ画像に対する画像の先読みが終了すると、ＲＩＳＣ１１０は、基準撮影日時から未来に向かう時間軸上に並ぶ画像ファイルの中から、基準画像ファイルに近い順にメタデータや表示優先度に基づいて画像の先読みを行う。
【０１３７】
（メタデータ一致モードにより画像切替え方向を考慮した先読み処理:）
図１３（ｂ）は、メタデータ一致モードにおける画像切替え方向を考慮した画像の先読みを説明する図である。図１３（ｂ）においては、ソート順序Ｎｏ．５のＶＧＡ画像がビューア１００に表示されているものとする。すなわちソート順序Ｎｏ．５の画像ファイルが基準画像ファイルとなる。ソート順序Ｎｏ．５の画像ファイルは、人物および風景のメタデータを有する。また、図１３（ｂ）においては、たとえば画像ファイルの撮影日時が新しい順に、ソート順序Ｎｏ．１〜ソート順序Ｎｏ．９の画像ファイルが並んでいるものとする。ジョイスティック１０７またはタッチパネル１２２の操作履歴は次のとおりとする。すなわち、ユーザは画像を右方向、すなわち過去方向に切替え、方向履歴ｋの値がｋ＝−３（過去の画像を３回表示）とする。
【０１３８】
ＲＩＳＣ１１０は、ソート順序Ｎｏ．５の基準画像ファイルから右方向、すなわち基準撮影日時から過去に向かう時間軸上に並ぶソート順序Ｎｏ．６〜Ｎｏ．９の画像ファイルに対して先読み処理を行う。この例では、ソート順序Ｎｏ．５の画像ファイルに近い順に人物のメタデータを有する画像ファイルを検索する。人物のメタデータを有する画像ファイルのうち、ソート順序Ｎｏ．６の画像ファイルが基準画像ファイルに最も近い位置にある。したがって、ＲＩＳＣ１１０はソート順序Ｎｏ．６の画像を選択する。続いて、ＲＩＳＣ１１０は、風景のメタデータを有する画像ファイルをソート順序Ｎｏ．７〜Ｎｏ．９の画像ファイルの中から検索する。ソート順序Ｎｏ．９の画像ファイルが風景のメタデータを有するので、ＲＩＳＣ１１０はソート順序Ｎｏ．９の画像を選択する。さらに、ＲＩＳＣ１１０は、ソート順序Ｎｏ．７〜Ｎｏ．８の画像ファイルの中から人物のメタデータを有する画像ファイルを検索する。ソート順序Ｎｏ．８の画像ファイルが人物のメタデータを有するので、ＲＩＳＣ１１０はソート順序Ｎｏ．８の画像を選択する。
【０１３９】
ソート順序Ｎｏ．８の画像を選択すると、以後、基準画像ファイルから右方向、すなわち、基準撮影日時から過去に向かう第１方向の時間軸上には、人物もしくは風景のメタデータを有する画像ファイルが存在しない。したがって、ＲＩＳＣ１１０は、基準画像ファイルから左方向、すなわち、基準撮影日時から未来に向かう第２方向の時間軸上に並ぶ画像ファイルの中から先読みする画像を選択する。ＲＩＳＣ１１０は、基準画像ファイルにもっとも近い風景のメタデータを有するソート順序Ｎｏ．３の画像を選択する。次に、ＲＩＳＣ１１０は、人物のメタデータを有するソート順序Ｎｏ．２の画像を選択する。最後に、ＲＩＳＣ１１０は、風景のメタデータを有するソート順序Ｎｏ．１の画像を選択する。
【０１４０】
（お気に入り画像優先モードにより画像切替え方向を考慮した先読み処理:）
図１４（ｃ）は、お気に入り画像優先モードにおける画像切替え方向を考慮した画像の先読みを説明する図である。図１４（ｃ）においても、画像ファイルは撮影日時順に並んでいて、ソート順序Ｎｏ．１の画像ファイルが最新の撮影日時を有する。また図１４（ｃ）においては、ソート順序Ｎｏ．４のＶＧＡ画像がビューア１００に表示されているものとする。すなわち、ソート順序Ｎｏ．４の画像ファイルが基準画像ファイルとなる。図１４（ｃ）においても、ユーザは画像を右方向、すなわち過去方向に切替え、方向履歴ｋの値がｋ＝−３（過去の画像を３回表示）として説明する。
【０１４１】
ＲＩＳＣ１１０は、ソート順序Ｎｏ．４の基準画像ファイルから右方向、すなわち基準撮影日時から過去に向かう時間軸上に並ぶソート順序Ｎｏ．５〜Ｎｏ．９の画像に対して先読み処理を行う。この例では、ソート順序Ｎｏ．８、Ｎｏ．６の順序で画像を選択する。ソート順序Ｎｏ．５、Ｎｏ．７およびＮｏ．９の画像ファイルの表示優先度は同一である。ＲＩＳＣ１１０は、基準画像ファイルに近い順に先読み画像を選択する。したがって、ＲＩＳＣ１１０はソート順序Ｎｏ．５、Ｎｏ．７、Ｎｏ．９の順に画像を選択する。このように、過去方向への画像切替えの場合、基準画像ファイルＮｏ．４よりも未来の撮影日時を有するソート順序Ｎｏ．１〜Ｎｏ．３の画像は選択されない。
【０１４２】
なお、上述の例では、ソート順序が撮影日時順と設定されている場合について説明したが、ソート順序がファイル名順に設定されている場合も同様な処理を行なうことができる。ソート順序が撮影日時順の場合に、時間軸に沿って未来側の向きと過去側の向きを定義した。その代わりに、ソート順序がファイル名順の場合は、辞書のルールに沿ったアルファベット順の後ろ側の向き（Ｚ側の向き）と前側の向き（Ａ側の向き）を定義すればよい。
【０１４３】
ＳＤＲＡＭ１１１には、前述したように先読みするＶＧＡ画像データを最大２００枚書き込む領域が確保されている。ＳＤＲＡＭ１１１に書き込まれたＶＧＡ画像データは、総数カウンタｍ、読み出しカウンタｎを用いて、ＲＩＳＣ１１０により管理される。総計カウンタｍは、ＳＤＲＡＭ１１１に書き込まれたＶＧＡ画像データの総数を示す。総計カウンタｍが２００に達すると、それ以上先読み用のＶＧＡ画像データをＳＤＲＡＭ１１１に書き込むことができなくなる。したがって、総計カウンタｍが２００に達すると、その後の先読み処理により新たにＶＧＡ画像データをＲＩＳＣ１１０に記録する場合、先読み順序の最も低いＶＧＡ画像データをＳＤＲＡＭ１１１から削除する。
【０１４４】
読み出しカウンタｎは、先読み処理において、事前に決定された先読み順の何番目までのＶＧＡ画像データがＳＤＲＡＭ１１１に書き込まれたかを示す数値である。読み出しカウンタｎは、ＶＧＡ画像データがＳＤＲＡＭ１１１に記録されるとカウントアップされる。ユーザの表示画像選択操作により画像がビューア１００に表示される度に、ＲＩＳＣ１１０は、今までの先読み順序を破棄し、新たに先読み順序を再設定する。そのため、たとえば、既に５枚の先読み用のＶＧＡ画像データが記録され、総計カウンタｍ＝５、読み出しカウンタｎ＝５の場合であっても、サムネイル画像から１枚の画像を選択して画像を表示するたびに、すなわち、ユーザが表示画像選択指示を行うたびに、ＲＩＳＣ１１０は、読み出しカウンタｎ＝０に設定する。
【０１４５】
サムネイル画像からの画像選択に代えて、操作ボタン１０６などの操作により、サムネイル画像を順送りしたり、逆送りして画像として表示する場合にも、ＲＩＳＣ１１０は、今までの先読み順序を破棄し、新たに先読み順序を再設定する。
【０１４６】
先読みするＶＧＡ画像データ数の最大値をＮｍａｘで表すと、ＨＤＤ１１４に記録されているリサイズ画像ファイルが２００個以上の場合、ＲＩＳＣ１１０は、Ｎｍａｘ＝２００に設定する。ＨＤＤ１１４に記録されているリサイズ画像ファイルが２００個未満であれば、ＲＩＳＣ１１０は、Ｎｍａｘ＝リサイズ画像ファイル数に設定する。
【０１４７】
図１５〜図１６に示すフローチャートを用いて、上述したＲＩＳＣ１１０による画像の先読み処理について説明する。図１５〜図１６の各処理を行なうプログラムはＲＩＳＣ１１０内のメモリ（不図示）に格納されている。このプログラムは、バッテリ１０５によりオン信号が入力されると起動され、ＲＩＳＣ１１０で実行される。図１５〜図１６の各ステップは、ＲＩＳＣ１１０の指令に基づいて実行される処理である。
【０１４８】
ステップＳ１において、ビューア１００内の各部の初期化処理を行いステップＳ２へ進む。ステップＳ２においては、ＨＤＤ１１４からビューア画像管理テーブルＴ１を読み出してステップＳ３へ進む。ステップＳ３では、第２ＬＣＤ１０４にメニュー画面を表示してステップＳ４へ進む。ステップＳ４においては、読み出しカウンタをｎ＝０、総計カウンタをｍ＝０、方向履歴をｋ＝０に設定してステップＳ５へ進む。
【０１４９】
ステップＳ５においては、先読みするＶＧＡ画像ファイル（先読み画像ファイルと呼ぶ）の最大値Ｎｍａｘを設定してステップＳ６へ進む。ただし、Ｎｍａｘ≦２００である。ステップＳ６において、ＨＤＤ１１４のリサイズ画像ファイルに添付されているメタデータ（特徴データ）を用いて相関演算を行い、先読み順序と先読みする画像を決定してステップＳ８へ進む。この相関演算では、上述したように、メタデータ累積値から画像選択規則を決定し、画像選択規則に則って先読み順序を決定する。すなわち、上述したように、順次に表示された画像の画像ファイルにそれぞれ添付されているメタデータを累積して画像選択規則を決定する。その上で、決定されたルールにしたがって先読み対象画像（ＨＤＤ１１４のリサイズ画像ファイル）に添付されているメタデータを参照して先読み順序を決定する。そして、先読み順序が１〜Ｎｍａｘの画像ファイルを先読み画像ファイルとして設定する。
【０１５０】
ここで、相関演算とは次の処理１〜処理２を含む演算である。
（１）処理１：最初に表示されるべき画像の特徴データと、ＨＤＤ１１４に記録されている複数の画像の特徴データとの間の相関性の高さを判定する。
（２）処理２：前述したように相関性が高い順に先読みする画像の順序を決定する。
【０１５１】
ステップＳ８においては、ステップＳ６で設定された先読み画像ファイルの中から、リサイズ画像ファイルを１つ選択してステップＳ９へ進む。ステップＳ９においては、ステップＳ８で選択されたリサイズ画像ファイルに対応するＶＧＡ画像データが、まだＳＤＲＡＭ１１１に書き込まれていないのか否かを判定する。選択されたリサイズ画像ファイルに対応するＶＧＡ画像データが、まだＳＤＲＡＭ１１１に書き込まれていなければ、ステップＳ１０へ進み、既に書き込まれていればステップＳ１１へ進む。ステップＳ１１では、読み出しカウンタｎに１を加えてｎ＋１としてからステップＳ８へ戻る。
【０１５２】
ステップＳ１０では、ステップＳ８で選択したリサイズ画像ファイルに対応するＶＧＡ画像ファイルがＨＤＤ１１４内に保存されているか否かを判定する。ＶＧＡ画像ファイルがＨＤＤ１１４内に保存されている場合、ステップＳ１２へ進む。ステップＳ１２では、ＨＤＤ１１４のＶＧＡ画像ファイルのＶＧＡ画像データをＳＤＲＡＭ１１１に読み出してステップＳ１７へ進む。ＶＧＡ画像ファイルがＨＤＤ１１４内に保存されていない場合、ステップＳ１３へ進む。
【０１５３】
ステップＳ１３においては、ステップＳ８で選択されたリサイズ画像ファイルの画像データをＳＤＲＡＭ１１１に展開してステップＳ１４へ進む。ステップＳ１４においては、ステップＳ１３において展開されたリサイズ画像ファイルの画像データからＶＧＡ画像データを生成して、ＳＤＲＡＭ１１１に書き込んでステップＳ１５へ進む。ステップＳ１５においては、ステップＳ１４にて生成したＶＧＡ画像データを輝度色差形式のファイルとしてＨＤＤ１１４内のＶＧＡ画像データ用フォルダＦ２に保存してステップＳ１６へ進む。
【０１５４】
ステップＳ１６においては、ＨＤＤ１１４内のビューア画像管理テーブルＴ１のＶＧＡ画像ファイル名およびＶＧＡ画像ファイル有無の欄を更新して、図１６に示すステップＳ１７へ進む。ステップＳ１７においては、読み出しカウンタｎに１を加えてｎ＋１とし、総計カウンタｍに１を加えてｍ＋１としてステップＳ１８へ進む。ステップＳ１８においては、総計カウンタｍの数が２００未満であるか否かを判定する。総計カウンタｍが２００未満の場合、ステップＳ２０へ進む。総計カウンタｍが２００以上の場合は、ステップＳ１９へ進む。ステップＳ１９においては、先読み順序が最も低いＶＧＡ画像データをＳＤＲＡＭ１１１から削除してステップＳ２０へ進む。
【０１５５】
ステップＳ２０では、先読み指定画像の中でＳＤＲＡＭ１１１に読み出されていない画像があるか否か、すなわちＳＤＲＡＭ１１１に読み出された画像の数がＮｍａｘ未満であるか否かを判定する。ＳＤＲＡＭ１１１に読み出された画像の数がＮｍａｘ（ｎ＝Ｎｍａｘ）になると、ステップＳ２０が否定されて先読み処理を終了する。ＳＤＲＡＭ１１１に読み出された画像の数がＮｍａｘ未満の場合、すなわちｎ≠Ｎｍａｘの場合、ステップＳ２０が肯定判定されてステップＳ２１へ進む。
【０１５６】
ステップＳ２１においては、ユーザによりビューア１００が操作されたか否かを判定する。すなわち、ジョイスティック１０７、操作ボタン１０６およびタッチパネル１２２のいずれか１つから操作信号を入力した場合、ステップＳ２２へ進む。操作信号を入力していない場合は、ステップＳ８へ戻り、先読み処理を続行する。
【０１５７】
ステップＳ２２においては、ステップＳ２１で入力した操作信号が第１ＬＣＤ１０３もしくは第２ＬＣＤ１０４にＶＧＡ画像を表示する画像表示指示であるか否かを判定する。あるいは、ジョイスティック１０７やタッチパネル１２２の操作による画像切替え操作であるか否かを判定する。入力した操作信号が画像表示指示を表す信号と判定されると、ステップＳ２３へ進む。ステップＳ２３においては、方向履歴ｋの値およびメタデータの累積値を更新する。ステップＳ２２で表示を指示された画像に対応する画像ファイルの撮影日時が、基準画像ファイルの撮影日時に対して過去であれば方向履歴ｋの値から１を減じ、未来であれば方向履歴ｋの値に１を加える。さらに、ステップＳ２２で表示を指示された画像の画像ファイルに含まれるメタデータに基づいて、メタデータの累積値を更新してステップＳ２４へ進む。
【０１５８】
ステップ２２において入力した操作信号が画像表示指示を表す信号ではないと判定された場合、ステップＳ２２が否定判定されてステップＳ２５へ進む。ステップＳ２５では、ステップＳ２２で入力した操作信号に応じた処理を行いステップＳ８へ戻る。
【０１５９】
ステップＳ２４においては、方向履歴ｋの値が０か否かを判定する。ｋ＝０の場合はステップＳ２８に進み、ｋ≠０の場合はステップＳ２６に進む。ステップＳ２８においては、読み出しカウンタｎを０に設定してステップＳ２９へ進む。ステップＳ２９では、ステップＳ２２で選択された画像に対応する画像ファイルを基準画像ファイルとし、画像切替え方向を考慮しない第１決定規則に基づいて先読み順序を決定し、先読み順序に従って先読みする画像ファイルを決定してステップＳ８へ戻る。
【０１６０】
ステップＳ２６においては、読み出しカウンタｎを０に設定してステップＳ２７へ進む。ステップＳ２７では、画像切替え方向を考慮した第２決定規則に基づいて先読みを行い、先読みする画像ファイルを決定してステップＳ８へ戻る。
【０１６１】
以上で説明した実施の形態によれば、以下の作用効果が得られる。
（１）ＨＤＤ１１４に記録された画像データに対応する画像を表示する際に、ＲＩＳＣ１１０は、メタデータや表示優先度に基づいて、次以降に表示指定される可能性が高い複数の画像を予測する。次に、ＲＩＳＣ１１０は、予測した画像の画像データをＨＤＤ１１４から読み出して、ＳＤＲＡＭ１１１に記録する。したがって、画像表示履歴が蓄積されていない場合でも、特徴データに基づいて複数枚の画像を選択できるので、次に表示指定される可能性が高い画像を先読みできる。ＳＤＲＡＭ１１１は、ＨＤＤ１１４に比べて、データを高速に読み出すことができるので、画像表示指示された画像が迅速に表示される。
【０１６２】
（２）ＲＩＳＣ１１０が先読み処理をする際に、メタデータの項目の累積値の高い、すなわち、基準画像データの特徴データと相関性の高い特徴データを有する画像データを選択するようにした。メタデータの累積値は、第１ＬＣＤ１０３または第２ＬＣＤ１０４に表示指定される頻度が高いほど、ＲＩＳＣ１１０により高い値が付加される。したがって、ユーザにより表示指定された回数の多い画像に対応する画像データほど先読み順序が優先されるので、ＲＩＳＣ１１０による先読み処理の精度が向上する。
【０１６３】
（３）さらに加えて、メタデータの各項目に重み付けを行い、重み付けの値の分だけメタデータの累積値を増やすようにした。したがって、ユーザが重要視する画像に対応する画像データがＲＩＳＣ１１０により先読みされる割合が増すので、ＲＩＳＣ１１０はユーザが閲覧を望む画像データを先読みすることができる。
【０１６４】
（４）ＲＩＳＣ１１０は、画像データ取得時の撮影モードをＥＸＩＦデータから読み出し、撮影モードに対応したメタデータを画像データに対して付与するようにした。したがって、ユーザがメタデータを指定する操作を行なう必要がないので、利便性が向上する。
【０１６５】
（５）ＲＩＳＣ１１０は、画像データに付与された表示優先度に基づいて先読みする画像データを選択するようにした。表示優先度は、画像データが取得された撮影日時データやユーザに表示指定された回数を表すデータにより決まる。ＲＩＳＣ１１０は、撮影日時データが新しいほど、表示指定された回数（頻度）が多いほど高い表示優先度を付与する。したがって、ＲＩＳＣ１１０は、取得日時が最新の画像データや表示指定された頻度が高い画像データを先読みするので、ユーザにより表示選択され閲覧される可能性の高い画像データを先読みすることができる。
【０１６６】
（６）撮影日時などの基準軸に沿ってソートされ並んでいる画像をユーザが選択する際、順次に選択された画像の並び方向も加味して予測画像を決定する規則を決定するようにした。したがって、ユーザが未来方向よりも過去方向へ向かって画像選択する傾向がある場合、その傾向も考慮した選択規則で予測画像が決定される。したがって、よりユーザの好みに合った画像を先読み画像としてＳＤＲＡＭに記録しておくことができる。その結果、ユーザの表示画像選択操作に迅速に応答して画像を表示することができる。
【０１６７】
以上で説明した実施の形態を以下のように変形することができる。
（１）ビューア１０は、図１７に示すように、第１ＬＣＤ１０３と第２ＬＣＤ１０４との間に間隔を設けないモニタ結合タイプでもよい。
【０１６８】
（２）方向履歴ｋの値に応じて、画像切替え方向に重み付けをしてもよい。たとえば、３回の画像の表示指定が行なわれた後、ｋ＝１であれば、基準画像の撮影日時に対して過去の画像が１回、未来の画像が２回表示指定されたことになる。この場合、ＲＩＳＣ１１０は、基準画像データに対して未来の方向に存在する画像データの中から２枚の画像データを先読みする。その後、ＲＩＳＣ１１０は、基準画像データに対して過去の方向に存在する画像データの中から１枚の画像データを先読みする。
【０１６９】
（３）以上の実施の形態では、方向履歴ｋの値に応じて、画像切替え方向を決定した。すなわち、ｋ≠０では、未来方向または過去方向の第１の向きに並ぶ複数の画像ファイルの全てに対して先読みする画像を選択し、その後、逆方向である第２の向きに並ぶ複数の画像ファイルの全てに対して先読みする画像を選択した。しかし、ユーザの表示画像選択操作が、未来方向または過去方向の同一の向きに所定回数以上連続して指定された場合に画像切替え方向を考慮した先読みを行うようにしてもよい。換言すると、たとえば方向履歴ｋ＝５以上またはｋ＝−５以下の場合については、画像切替え方向を考慮した先読みを行うが、方向履歴ｋ＝４以下またはｋ＝−５以上では画像切替え方向を考慮した先読みを行わないようにしても良い。
【０１７０】
このように、ユーザの画像選択操作方向が、画像の並び方向に対して関連が低い場合、予めユーザが選択したメタデータや表示優先度による先読み規則を採用するようにした。また、連続して所定回数以上一方向に画像選択操作される傾向がある場合は、その方向を考慮して先読み画像を選択する規則を採用するようにした。その結果、ユーザの意図した画像が先読みされやすくなる。
【０１７１】
（４）プログラムのバージョンアップ時などにおいて、インターネット経由や可搬記録媒体を介して既存のユーザに対して機能を増強することも可能である。したがって、図１５〜図１６のプログラムは、そのようなバージョンアップ用のソフトウエアに対しても適用できる。たとえば、このプログラムは、指定された画像を表示する表示処理と、表示処理で表示する画像を指定する指定処理と、第１の記録媒体に記録されている複数の画像について、当該画像を特徴付ける特徴データに基づいて、指定処理により次に指定される可能性が高い複数の予測画像を決定する決定処理と、第１の記録媒体から決定された予測画像を読み出し、当該読み出した予測画像を、第１の記録媒体よりも高速に画像を読み出すことができる第２の記録媒体に記録する記録処理とをコンピュータで実行するための画像閲覧用プログラムである。
【０１７２】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【０１７３】
【図１】本発明の実施の形態におけるビューアの外観を説明する図である。
【図２】実施の形態におけるビューアの要部構成を説明するブロック図である。
【図３】ビューアのＨＤＤにおけるデータ管理を説明する概念図である。
【図４】ビューア画像管理テーブルの内容の一例を説明する図である。
【図５】表示優先度テーブルの内容の一例を説明する図である。
【図６】電子カメラの要部構成を説明するブロック図である。
【図７】電子カメラにて生成される画像データとサイズとの関係の一例を説明する図である。
【図８】メモリカード内の画像を管理するカード管理テーブルの一例を説明する図である。
【図９】ビューアにおける画像表示の様子を説明する図である。
【図１０】ビューアにおけるサムネイル画像表示の様子を説明する図である。
【図１１】メタデータの設定画面の一例を説明する図である。
【図１２】先読み順序の決定方法を説明する図である。
【図１３】メタデータ一致優先モードにおける先読み順序を説明する図である。
【図１４】お気に入り画像優先モードにおける先読み順序を説明する図である。
【図１５】ビューアにおける先読み処理を説明するフローチャートである。
【図１６】ビューアにおける先読み処理を説明するフローチャートである。
【図１７】変形例におけるビューアの外観を説明する図である。
【図１８】リサイズ画像を作成することができるパソコンの構成例を説明する図である。
【図１９】ビューアのメニュー構成を説明する図である。
【符号の説明】
【０１７４】
１００  ビューア        １０３  第１ＬＣＤ          １０４  第２ＬＣＤ
１０６  操作ボタン      １０７  ジョイスティック    １１０  ＲＩＳＣ
１１１  ＳＤＲＡＭ      １１４  ＨＤＤ              １２２  タッチパネル
【図１】
2008092321.tif 000003
【図２】
2008092321.tif 000004
【図３】
2008092321.tif 000005
【図４】
2008092321.tif 000006
【図５】
2008092321.tif 000007
【図６】
2008092321.tif 000008
【図７】
2008092321.tif 000009
【図８】
2008092321.tif 000010
【図９】
2008092321.tif 000011
【図１０】
2008092321.tif 000012
【図１１】
2008092321.tif 000013
【図１２】
2008092321.tif 000014
【図１３】
2008092321.tif 000015
【図１４】
2008092321.tif 000016
【図１５】
2008092321.tif 000017
【図１６】
2008092321.tif 000018
【図１７】
2008092321.tif 000019
【図１８】
2008092321.tif 000020
【図１９】
2008092321.tif 000021